(57)【要約】【課題】多数の対応付け規則に容易に対応できること。【解決手段】複数の第１の無線通信装置と、分散送信を行う第２の無線通信装置とを具備する無線通信システムにおいて、第２の無線通信装置は、前記仮想リソースブロック各々の順番情報を２次元配列に書き込んで生成したブロックインタリーバから前記順番情報を行方向に読み出した順番を、前記物理リソース割当単位を指定する情報とし、該順番情報に対応する残りの前記物理リソース割当単位を指定する情報を、前記ブロックインタリーバ内で列を入れ換えたブロックインタリーバから前記順番情報を行方向に読み出した順番とすることで対応付けの規則を生成し、仮想リソースブロックの信号を割り当てる前記物理リソース割当単位を決定するリソース対応付部を具備することを特徴とする無線通信システム。【選択図】図２１
2009239340.tif 000002
【特許請求の範囲】
【請求項１】
複数の第１の無線通信装置と、
無線リソースを周波数方向および時間方向に予め決められた幅で区切った領域であって、前記第１の無線通信装置へ送信するデータの割り当て単位となる領域である物理リソース割当単位にて送信可能なデータ量の前記第１の無線通信装置宛てのデータの信号からなる仮想リソースブロックを所定の多重数に分割した信号群各々を、周波数方向に分散した前記多重数の前記物理リソース割当単位に配置することで、各前記物理リソース割当単位に、異なる前記仮想リソースブロックから分割された前記多重数の信号群を多重した信号を送信する分散送信を行う第２の無線通信装置と
を具備する無線通信システムにおいて、
前記第２の無線通信装置は、
前記多重数の前記信号群であって、同一の前記仮想リソースブロックから分割された前記信号群を配置する前記物理リソース割当単位の組合せと、該仮想リソースブロックの順番とからなる対応付けの規則を、前記仮想リソースブロック各々の順番を表す順番情報を２次元配列に書き込んで生成したブロックインタリーバから前記順番情報を行方向に読み出した順番を、該順番情報の仮想リソースブロックの信号群のうちの一つを配置する前記物理リソース割当単位を指定する情報とし、該順番情報の仮想リソースブロックの残りの信号群を配置する前記物理リソース割当単位を指定する情報を、前記ブロックインタリーバ内で列を入れ換えたブロックインタリーバから前記順番情報を行方向に読み出した順番とすることで生成し、該生成した対応付けの規則に従い、前記第１の無線通信装置へ送信するデータを割り当てた仮想リソースブロックの信号を割り当てる前記物理リソース割当単位を決定するリソース対応付部と、
前記第１の無線通信装置へ送信するデータを割り当てた仮想リソースブロックを表す情報であって、前記対応付部が決定した前記規則における前記仮想リソースブロックの順番の開始位置と連続数とを表す情報とを少なくとも含む情報である無線リソース割当情報を生成する割当情報生成部と、
前記リソース対応付部の決定に従い、前記第１の無線通信装置宛ての仮想リソースブロックの信号を多重するとともに、前記無線リソース割当情報を送信する信号を多重する多重部と
を具備し、
前記第１の無線通信装置は、
前記リソース対応付部と同様にして生成したブロックインタリーバを用いて前記対応付けの規則を生成し、受信した無線リソース割当情報と前記対応付けの規則とに基づき、受信した信号から、当該第１の無線通信装置宛ての仮想リソースブロックの信号が配置された領域を検出する制御部と、
前記制御部の検出結果に基づき、当該第１の無線通信装置宛ての仮想リソースブロックの信号を抽出する多重分離部と
を具備することを特徴とする無線通信システム。
【請求項２】
前記多重数は、２であり、
前記第１の無線通信装置の制御部および前記第２の無線通信装置のリソース対応付部は、前記ブロックインタリーバ内で列を入れ換える際の入れ換え規則を、予め複数設定されていること
を特徴とする請求項１に記載の無線通信システム。
【請求項３】
前記第２の無線通信装置は、一つの仮想リソースブロックの信号を、一つの物理リソース割当単位に配置する集中送信を、さらに行ない、
前記第２の無線通信装置は、前記集中送信における無線リソース割当情報として、前記第２の無線通信装置のシステム帯域幅に応じたグループサイズの周波数方向に連続する物理リソース割当単位からなる物理リソースグループを指定する無線リソース割当情報を用いる集中送信マッピングＡと、前記集中送信における無線リソース割当情報として、前記第２の無線通信装置のシステム帯域幅に応じたサブセット数の間隔をおいた前記物理リソースグループの集合であるサブセットを指定するサブセット指定情報と、該指定されたサブセット内において物理リソース割当単位を指定する情報とを含む無線リソース割当情報を用いる集中送信マッピングＢとのいずれかを用いて、前記集中送信を行ない、
前記ブロックインタリーバの行数は、前記グループサイズと前記サブセット数の積であり、
前記ブロックインタリーバの行各々に並べられた前記順番情報は、同じ行に並べられた前記順番情報同士が連続した値であること
を特徴とする請求項１記載の無線通信システム。
【請求項４】
前記ブロックインタリーバの列の数は、該列の数に前記ブロックインタリーバの行の数を掛けた値が、前記第２の無線通信装置のシステム帯域幅に含まれる物理リソース割当単位の数を超えない最大の整数値であることを特徴とする請求項３に記載の無線通信システム。
【請求項５】
前記ブロックインタリーバの列の数が前記多重数の倍数でないときは、前記ブロックインタリーバのうち、前記順番情報を書き込む列の数を前記多重数の倍数とすることを特徴とする請求項３に記載の無線通信システム。
【請求項６】
前記対応付部が前記順番情報を２次元配列に書き込んで生成したブロックインタリーバが、前記対応付部による該ブロックインタリーバ内での列の入れ換えを行うと、入れ換えにより移動する列と該列の移動先の列との同じ行に書き込まれた順番情報が表す値が連続した値となるときは、該ブロックインタリーバの列を入れ換えた２次元配列をブロックインタリーバとして用いることを特徴とをする請求項１に記載の無線通信システム。
【請求項７】
前記第２の無線通信装置は、一つの前記仮想リソースブロックを分割した信号群各々を、周波数方向に分散した前記物理リソース割当単位に配置する際の周波数方向の前記物理リソース割当単位間の距離であるギャップを表すフラグを、前記第１の無線通信装置に通知し、
前記第１の無線通信装置の制御部は、前記ブロックインタリーバ内で列を入れ換えてブロックインタリーバを生成する際に、前記フラグが表すギャップに応じた入れ換えを行うこと
を特徴とする請求項１に記載の無線通信システム。
【請求項８】
前記第２の無線通信装置は、前記順番情報を２次元配列に書き込んでブロックインタリーバを生成する際に、前記２次元配列のいずれかの列に前記順番情報を書き込まないときは、該書き込まない列を表すフラグを、前記第１の無線通信装置に通知し、
前記第１の無線通信装置の制御部は、前記順番情報を２次元配列に書き込んでブロックインタリーバを生成する際に、前記２次元配列の列のうち、前記フラグに応じた列に前記順番情報を書き込まないこと
を特徴とする請求項１に記載の無線通信システム。
【請求項９】
前記無線リソース割当情報が、前記フラグを含むことを特徴とする請求項７または請求項８に記載の無線通信システム。
【請求項１０】
前記第２の無線通信装置は、前記フラグを予め下りリンク共有データチャネルに配置されるシステム情報にて前記第１の無線通信装置に通知することを特徴とする請求項７または請求項８に記載の無線通信システム。
【請求項１１】
無線リソースを周波数方向および時間方向に予め決められた幅で区切った領域であって、通信相手装置へ送信するデータの割り当て単位となる領域である物理リソース割当単位にて送信可能なデータ量の前記通信相手装置宛てのデータの信号からなる仮想リソースブロックを所定の多重数に分割した信号群各々を、周波数方向に分散した前記多重数の前記物理リソース割当単位に配置することで、各前記物理リソース割当単位に、異なる前記仮想リソースブロックから分割された前記多重数の信号群を多重した信号を送信する分散送信を行う無線通信装置において、
前記多重数の前記信号群であって、同一の前記仮想リソースブロックから分割された前記信号群を配置する前記物理リソース割当単位の組合せと、該仮想リソースブロックの順番とからなる対応付けの規則を、前記仮想リソースブロック各々の順番を表す順番情報を２次元配列に書き込んで生成したブロックインタリーバから前記順番情報を行方向に読み出した順番を、該順番情報の仮想リソースブロックの信号群のうちの一つを配置する前記物理リソース割当単位を指定する情報とし、該順番情報の仮想リソースブロックの残りの信号群を配置する前記物理リソース割当単位を指定する情報を、前記ブロックインタリーバ内で列を入れ換えたブロックインタリーバから前記順番情報を行方向に読み出した順番とすることで生成し、該生成した対応付けの規則に従い、前記通信相手装置へ送信するデータを割り当てた仮想リソースブロックの信号を割り当てる前記物理リソース割当単位を決定するリソース対応付部と、
前記通信相手装置へ送信するデータを割り当てた仮想リソースブロックを表す情報であって、前記対応付部が決定した前記規則における前記仮想リソースブロックの順番の開始位置と連続数とを表す情報とを少なくとも含む情報である無線リソース割当情報を生成する割当情報生成部と、
前記リソース対応付部の決定に従い、前記通信相手装置宛ての仮想リソースブロックの信号を多重するとともに、前記無線リソース割当情報を送信する信号を多重する多重部と
を具備することを特徴とする無線通信装置。
【請求項１２】
無線リソースを周波数方向および時間方向に予め決められた幅で区切った領域であって、送信するデータの割り当て単位となる領域である物理リソース割当単位にて送信可能なデータ量のデータの信号からなる仮想リソースブロックを所定の多重数に分割した信号群各々を、周波数方向に分散した前記多重数の前記物理リソース割当単位に配置することで、各前記物理リソース割当単位に、異なる前記仮想リソースブロックから分割された前記多重数の信号群が多重された信号を受信する無線通信装置において、
前記多重数の前記信号群であって、同一の前記仮想リソースブロックから分割された前記信号群を配置する前記物理リソース割当単位の組合せと、該仮想リソースブロックの順番とからなる対応付けの規則を、前記仮想リソースブロック各々の順番を表す順番情報を２次元配列に書き込んで生成したブロックインタリーバから前記順番情報を行方向に読み出した順番を、該順番情報の仮想リソースブロックの信号群のうちの一つを配置する前記物理リソース割当単位を指定する情報とし、該順番情報の仮想リソースブロックの残りの信号群を配置する前記物理リソース割当単位を指定する情報を、前記ブロックインタリーバ内で列を入れ換えたブロックインタリーバから前記順番情報を行方向に読み出した順番とすることで生成し、受信した無線リソース割当情報と生成した前記対応付けの規則とに基づき、受信した信号から、当該無線通信装置宛ての仮想リソースブロックの信号が配置された領域を検出する制御部と、
前記制御部の検出結果に基づき、当該無線通信装置宛ての仮想リソースブロックの信号を抽出する多重分離部と
を具備することを特徴とする無線通信装置。
【請求項１３】
無線リソースを周波数方向および時間方向に予め決められた幅で区切った領域であって、通信相手装置へ送信するデータの割り当て単位となる領域である物理リソース割当単位にて送信可能なデータ量の前記通信相手装置宛てのデータの信号からなる仮想リソースブロックを所定の多重数に分割した信号群各々を、周波数方向に分散した前記多重数の前記物理リソース割当単位に配置することで、各前記物理リソース割当単位に、異なる前記仮想リソースブロックから分割された前記多重数の信号群を多重した信号を送信する分散送信を行う無線通信装置における無線送信方法において、
前記無線通信装置が、前記多重数の前記信号群であって、同一の前記仮想リソースブロックから分割された前記信号群を配置する前記物理リソース割当単位の組合せと、該仮想リソースブロックの順番とからなる対応付けの規則を、前記仮想リソースブロック各々の順番を表す順番情報を２次元配列に書き込んで生成したブロックインタリーバから前記順番情報を行方向に読み出した順番を、該順番情報の仮想リソースブロックの信号群のうちの一つを配置する前記物理リソース割当単位を指定する情報とし、該順番情報の仮想リソースブロックの残りの信号群を配置する前記物理リソース割当単位を指定する情報を、前記ブロックインタリーバ内で列を入れ換えたブロックインタリーバから前記順番情報を行方向に読み出した順番とすることで生成し、該生成した対応付けの規則に従い、前記第１の無線通信装置へ送信するデータを割り当てた仮想リソースブロックの信号を割り当てる前記物理リソース割当単位を決定する第１の過程と、
前記無線通信装置が、前記通信相手装置へ送信するデータを割り当てた仮想リソースブロックを表す情報であって、前記第１の過程にて決定した前記規則における前記仮想リソースブロックの順番の開始位置と連続数とを表す情報とを少なくとも含む情報である無線リソース割当情報を生成する第２の過程と、
前記無線通信装置が、前記第１の過程による決定に従い、前記通信相手装置宛ての仮想リソースブロックの信号を多重するとともに、前記無線リソース割当情報を送信する信号を多重する第３の過程と
を備えることを特徴とする無線送信方法。
【請求項１４】
無線リソースを周波数方向および時間方向に予め決められた幅で区切った領域であって、送信するデータの割り当て単位となる領域である物理リソース割当単位にて送信可能なデータ量のデータの信号からなる仮想リソースブロックを所定の多重数に分割した信号群各々を、周波数方向に分散した前記多重数の前記物理リソース割当単位に配置することで、各前記物理リソース割当単位に、異なる前記仮想リソースブロックから分割された前記多重数の信号群が多重された信号を受信する無線通信装置における無線受信方法において、
前記無線通信装置が、前記多重数の前記信号群であって、同一の前記仮想リソースブロックから分割された前記信号群を配置する前記物理リソース割当単位の組合せと、該仮想リソースブロックの順番とからなる対応付けの規則を、前記仮想リソースブロック各々の順番を表す順番情報を２次元配列に書き込んで生成したブロックインタリーバから前記順番情報を行方向に読み出した順番を、該順番情報の仮想リソースブロックの信号群のうちの一つを配置する前記物理リソース割当単位を指定する情報とし、該順番情報の仮想リソースブロックの残りの信号群を配置する前記物理リソース割当単位を指定する情報を、前記ブロックインタリーバ内で列を入れ換えたブロックインタリーバから前記順番情報を行方向に読み出した順番とすることで生成し、受信した無線リソース割当情報と生成した前記対応付けの規則とに基づき、受信した信号から、当該無線通信装置宛ての仮想リソースブロックの信号が配置された領域を検出する第１の過程と、
前記無線通信装置が、前記第１の過程による検出結果に基づき、当該無線通信装置宛ての仮想リソースブロックの信号を抽出する第２の過程と
を備えることを特徴とする無線受信方法。
【発明の詳細な説明】
【技術分野】
【０００１】
本発明は、無線通信システム、無線通信装置、無線送信方法および無線受信方法に関する。
【背景技術】
【０００２】
セルラー移動通信の第三世代（３Ｇ）無線アクセス方式として、Ｗ‐ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ；広帯域符号分割多元接続）方式が３ＧＰＰ（３ｒｄ  Ｇｅｎｅｒａｔｉｏｎ  Ｐａｒｔｎｅｒｓｈｉｐ  Ｐｒｏｊｅｃｔ；第３世代パートナーシッププロジェクト）において標準化され、同方式によるセルラー移動通信サービスが開始されている。また、３ＧＰＰにおいて、３Ｇの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ；以下、「ＥＵＴＲＡ」という）及び３Ｇネットワークの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）が検討されている。
【０００３】
ＥＵＴＲＡにおいて、基地局から移動局へのリンクである下りリンクとして、マルチキャリア送信であるＯＦＤＭ（Ｏｒｔｈｏｇｏｎａｌ  Ｆｒｅｑｕｅｎｃｙ Ｄｉｖｉｓｉｏｎ  Ｍｕｌｔｉｐｌｅｘｉｎｇ；直交周波数分割多重）方式が提案されている。また、移動局から基地局へのリンクである上りリンクとして、シングルキャリア送信であるＤＦＴ（Ｄｉｓｃｒｅｔｅ  Ｆｏｕｒｉｅｒ  Ｔｒａｎｓｆｏｒｍ；離散フーリエ変換）−Ｓｐｒｅａｄ  ＯＦＤＭ方式のシングルキャリア通信方式が提案されている。
【０００４】
ここで、ＥＵＴＲＡにおけるチャネルの構造について、その概略を図１に示す。基地局装置ＢＳ１は、移動局装置ＵＥ１、ＵＥ２、ＵＥ３と無線通信を行う。ＥＵＴＲＡの基地局装置ＢＳ１から移動局装置ＵＥ１、ＵＥ２、ＵＥ３への無線通信の下りリンクは、下りリンクパイロットチャネルと、下りリンク同期チャネルと、報知チャネル、下りリンク制御チャネルと、下りリンク共有データチャネル、制御フォーマットインディケータチャネル、下りリンクＨＡＲＱ（Hybrid Automatic Repeat reQuest；ハイブリッド自動再送）インディケータチャネルとにより構成されている。また、ＥＵＴＲＡの移動局装置ＵＥ１、ＵＥ２、ＵＥ３から基地局装置ＢＳ１への無線通信の上りリンクは、上りリンクパイロットチャネルと、ランダムアクセスチャネルと、上りリンク制御チャネルと、上りリンク共有データチャネルとにより構成されている。
【０００５】
図２は、ＥＵＴＲＡにおける下りリンク無線フレームの概略構成を示す図である（非特許文献１）。図２において、横軸は周波数軸、縦軸は時間軸である。下りリンク無線フレームは、集中（Ｌｏｃａｌｉｚｅｄ）送信の無線リソース割り当てなどの単位であり、予め決められた幅の周波数帯および時間帯からなる物理リソースブロックＰＲＢ（Ｐｈｙｓｉｃａｌ  Ｒｅｓｏｕｒｃｅ  Ｂｌｏｃｋ）ペアから構成されている。基本的に１物理リソースブロックＰＲＢペアは時間領域で連続する２個の物理リソースブロックＰＲＢから構成される。
【０００６】
１個の物理リソースブロックＰＲＢは周波数領域において１２個のサブキャリアから構成され、時間領域において７個のＯＦＤＭシンボルから構成される。システム帯域幅は、基地局装置の通信帯域幅である。時間領域においては、７個のＯＦＤＭシンボルから構成されるスロット、２個のスロットから構成されるサブフレーム、１０個のサブフレームから構成される無線フレームがある。なお、１個のサブキャリアと１個のＯＦＤＭシンボルから構成されるユニットをリソースエレメントという。また、下りリンク無線フレームでは、周波数方向には、システム帯域幅に応じた数の物理リソースブロックＰＲＢが配置される。
【０００７】
各サブフレームには少なくとも、情報データとシステム情報の送信に用いる下りリンク共有データチャネル、制御データの送信に用いる下りリンク制御チャネルが配置される。システム情報は、基地局装置の送信に使っている送信アンテナの数、システム帯域幅、上りリンクと下りリンクの送信電力制御情報などの基地局装置と移動局装置が通信するのに必要な情報から構成されており、報知チャネルと下りリンク共有データチャネルで不特定多数の移動局装置に向かって周期的に送信される。なお、報知チャネルと下りリンク共有データチャネルのシステム情報は異なる。下りリンク共有データチャネル及び下りリンク制御チャネルのチャネル推定に用いる下りリンクパイロットチャネルについては図２においては図示せず、その配置の説明は後述する。図２では、下りリンク制御チャネルはサブフレームの１番目と２番目と３番目のＯＦＤＭシンボルに配置され、下りリンク共有データチャネルはその他のＯＦＤＭシンボルに配置された場合を示しているが、下りリンク制御チャネルが配置されるＯＦＤＭシンボルはサブフレーム単位で変化する。
【０００８】
なお、図２において図示は省略しているが、下りリンク制御チャネルを構成するＯＦＤＭシンボル数を示す制御フォーマットインディケータチャネルは１ＯＦＤＭシンボル目の予め決められた周波数位置に配置され、下りリンク制御チャネルは１番目のＯＦＤＭシンボルのみに配置されたり、１番目と２番目のＯＦＤＭシンボルに配置されたりする。また、同様に、図２において図示は省略しているが、下りリンクＨＡＲＱインディケータチャネルは１番目のＯＦＤＭシンボル、または１番目から３番目までのＯＦＤＭシンボルに亘って配置され、下りリンクＨＡＲＱインディケータチャネルを配置するＯＦＤＭシンボル数、１つの下りリンクＨＡＲＱインディケータチャネルを配置するＯＦＤＭ数は予めシステム情報によって示される。なお、同一のＯＦＤＭシンボルにおいて下りリンク制御チャネルと下りリンク共有データチャネルは一緒に配置されない。下りリンク制御チャネルには、移動局識別子または移動局群識別子、下りリンク共有データチャネルの無線リソース割当情報、マルチアンテナ関連情報、変調方式、符号化率、ペイロードサイズ、再送パラメータなどが配置される。
【０００９】
図３は、ＥＵＴＲＡの下りリンクにおける１物理リソースブロックＰＲＢペア内の下りリンクパイロットチャネルの配置を説明する図である。図３において、横軸は時間領域、縦軸は周波数領域を表している。ここでは、基地局装置が４本の送信アンテナ（送信アンテナ１、送信アンテナ２、送信アンテナ３、送信アンテナ４）を有する場合について説明する。図３において、符号Ｒ１が付されたリソースエレメントは送信アンテナ１が送信する下りリンクパイロットチャネルのリソースエレメントを表し、符号Ｒ２が付されたリソースエレメントは送信アンテナ２が送信する下りリンクパイロットチャネルのリソースエレメントを表し、符号Ｒ３が付されたリソースエレメントは送信アンテナ３が送信する下りリンクパイロットチャネルのリソースエレメントを表し、符号Ｒ４が付されたリソースエレメントは送信アンテナ４が送信する下りリンクパイロットチャネルのリソースエレメントを表す。
【００１０】
なお、基地局装置が２本の送信アンテナのみを有する場合は、２番目のＯＦＤＭシンボルにおけるリソースエレメントＲ３とＲ４では下りリンク制御チャネルが送信され、９番目のＯＦＤＭシンボルにおけるリソースエレメントＲ３とＲ４では下りリンク共有データチャネルが送信される。なお、４本の送信アンテナを有する基地局装置は、送信アンテナ３と送信アンテナ４の下りリンクパイロットチャネルのリソースエレメントＲ３とＲ４の送信を時間領域で適応的に制御することができる。
【００１１】
すなわち、基地局装置は、あるサブフレームでは上述のように下りリンクパイロットチャネルであるリソースエレメントＲ３、Ｒ４を配置し、あるサブフレームではリソースエレメントＲ３、Ｒ４を配置せず、下りリンクパイロットチャネルとしてはリソースエレメントＲ１、Ｒ２のみを配置する。この下りリンクパイロットチャネルの配置情報は報知チャネルによって示される。なお、本発明とは関連性がないため、報知チャネル、下りリンク同期チャネルに関する説明の詳細は省略するが、報知チャネル、下りリンク同期チャネルは、予め決められたサブフレームの予め決められたリソースエレメントに配置される。
【００１２】
ＥＵＴＲＡには、複数の送信方法がある。１つの送信方法は、移動局装置から基地局装置にフィードバックされるＣＱＩ（Channel Quality Indicator；チャネル品質指標）に基づいて基地局装置が無線伝播路品質の良い移動局装置に物理リソースブロックＰＲＢペア単位で無線リソース割り当てを行う周波数スケジューリングの適用を主に想定した集中送信（Localized送信）である。もう一つの送信方法は、高速移動中の移動局装置、ＶｏＩＰ（Voice over Internet Protocol）、ＴＣＰ  ＡＣＫ（Transmission Control Protocol ACKnowledgement）などの少量のデータ送受信を行う移動局装置など周波数スケジューリングを行わない移動局装置への適用を主に想定した分散送信（Distributed送信）がある。集中送信は物理リソースブロックＰＲＢペア単位でまとまったサブキャリアを用いて送信を行う方法であり、分散送信は広帯域にわたって物理リソースブロックＰＲＢペア単位よりも更に細かい単位で時間領域及び周波数領域に分散した物理リソースに信号を配置して送信を行う方法である。
【００１３】
移動局装置への送信データユニットをＶＲＢ（Ｖｉｒｔｕａｌ  Ｒｅｓｏｕｒｃｅ  Ｂｌｏｃｋ；仮想リソースブロック）といい、集中送信を行う移動局装置への送信データユニットをＬＶＲＢ（Ｌｏｃａｌｉｚｅｄ  Ｖｉｒｔｕａｌ  Ｒｅｓｏｕｒｃｅ  Ｂｌｏｃｋ；集中仮想リソースブロック）、分散送信を行う移動局装置への送信データユニットをＤＶＲＢ（Ｄｉｓｔｒｉｂｕｔｅｄ  Ｖｉｒｔｕａｌ  Ｒｅｓｏｕｒｃｅ  Ｂｌｏｃｋ；分散仮想リソースブロック）という。集中仮想リソースブロックＬＶＲＢの送信に用いる物理リソースブロックＰＲＢペアを集中物理リソースブロックＬＰＲＢ（Ｌｏｃａｌｉｚｅｄ  Ｐｈｙｓｉｃａｌ  Ｒｅｓｏｕｒｃｅ  Ｂｌｏｃｋ）といい、分散仮想リソースブロックＤＶＲＢの送信に用いる物理リソースブロックＰＲＢペアを分散物理リソースブロックＤＰＲＢ（Ｄｉｓｔｒｉｂｕｔｅｄ  Ｐｈｙｓｉｃａｌ  Ｒｅｓｏｕｒｃｅ  Ｂｌｏｃｋ）という。
【００１４】
１個の分散物理リソースブロックＤＰＲＢに多重する分散仮想リソースブロックＤＶＲＢ数、すなわち１個の分散仮想リソースブロックＤＶＲＢの信号を割り当てる分散物理リソースブロックの数を多重数Ｎｄという。分散仮想リソースブロックＤＶＲＢは、物理リソースブロックＰＲＢペア単位よりも更に細かい単位の無線リソースであって、広帯域にわたって分散されている無線リソースに割り当てられる。また、ＥＵＴＲＡにおいては、１つの分散仮想リソースブロックＤＶＲＢが用いる無線リソース量は、１つの物理リソースブロックＰＲＢペアと等しい（非特許文献２）。
【００１５】
次に、集中仮想リソースブロックについて説明する。集中物理リソースブロックＬＰＲＢへの集中仮想リソースブロックＬＶＲＢのマッピング方法（以下、「集中仮想リソースブロックＬＶＲＢマッピング」という）において、基地局装置が、各移動局装置に対して集中仮想リソースブロックＬＶＲＢの集中物理リソースブロックＬＰＲＢへの割り当てを通知するために用いる無線リソース割当情報には、タイプ０〜タイプ２の３通りある（非特許文献３、非特許文献４）。
【００１６】
まず、タイプ０の無線リソース割当情報について説明する。必要なビット数を減らすために、物理リソースブロックＰＲＢペアを予め設定された数（以下、「ＲＢＧサイズ」という）の周波数方向に連続した物理リソースブロックＰＲＢペアからなるグループ（以下、「リソースブロックグループＲＢＧ（Ｒｅｓｏｕｒｃｅ  Ｂｌｏｃｋ  Ｇｒｏｕｐ）」という）に分け、各ビットがリソースブロックグループＲＢＧを表すビットマップにより、どのリソースブロックグループＲＢＧが割り当てられたのかを、タイプ０の無線リソース割当情報は通知する。このタイプ０の無線リソース割当情報が下りリンク制御チャネルに配置されて、基地局装置から移動局装置に通知される。
【００１７】
上述のＲＢＧサイズは、システム帯域に含まれる、すなわち無線リソース中の周波数方向に配置される物理リソースブロックＰＲＢペアの数によって決まる。表１は、システム帯域に含まれる物理リソースブロックＰＲＢペアの数とＲＢＧサイズの対応を示す。物理リソースブロックＰＲＢペアの数が１０以下のとき、ＲＢＧサイズは１である。つまり、グループ化せずに、物理リソースブロックＰＲＢペア単位での割り当てが行われる。物理リソースブロックＰＲＢペアの数が１１から２６のとき、ＲＢＧサイズは２である。物理リソースブロックＰＲＢペアの数が２７から６４のとき、ＲＢＧサイズは３である。物理リソースブロックＰＲＢペアの数が６５から１１０のとき、ＲＢＧサイズは４である。以下、このタイプ０の無線リソース割当情報を用いるときの割り当ての方法を、「集中送信マッピングＡ」という。集中送信マッピングＡによる詳細な割り当て方法は後述する。
【００１８】
【表１】
2009239340.tif 000003
【００１９】
次に、タイプ１の無線リソース割当情報について説明する。タイプ１の無線リソース割当情報は、集中送信マッピングＡで使用したリソースブロックグループＲＢＧを、さらに複数のグループに分けリソースブロックグループＲＢＧのセットを作り、どのリソースブロックグループＲＢＧのセット（以下、「サブセット」という）かを指定するフラグと、各ビットがこのフラグで指定されたサブセット内の物理リソースブロックＰＲＢペアを表すビットマップにより、どの物理リソースブロックＰＲＢペアが割り当てられたのかを、タイプ１の無線リソース割当情報は通知する。このタイプ１の無線リソース割当情報が下りリンク制御チャネルに配置されて、基地局装置から移動局装置に通知される。
【００２０】
サブセットの数はＲＢＧサイズと同じであり、例えばリソースブロックグループＲＢＧのインデックスが小さいほうから１つずつ異なるサブセットに割り当てていく。全てのサブセットにリソースブロックグループＲＢＧを割り当てたら、また初めのサブセットから割り当てていくことを繰り返す。以下、タイプ１の無線リソース割当情報を用いるときの割り当ての方法を、「集中送信マッピングＢ」という。集中送信マッピングＢによる詳細なマッピング方法は後述する。
【００２１】
ＲＢＧサイズよりも少ない集中仮想リソースブロックＬＶＲＢをリソースブロックグループＲＢＧに割り当てると、リソースブロックグループＲＢＧの一部にまだ集中仮想リソースブロックＬＶＲＢを割り当てられていない物理リソースブロックＰＲＢペアができてしまう。しかし、集中送信マッピングＡの無線リソース割当情報はリソースブロックグループＲＢＧ単位の割り当てであるため、上述のまだ集中仮想リソースブロックＬＶＲＢを割り当てられていない物理リソースブロックＰＲＢに割り当てることができない。集中送信マッピングＢは、このような物理リソースブロックＰＲＢペアに無線リソースを割り当てるために用いられる。両マッピングとも同じ下りリンク制御チャネルフォーマットで構成するために、集中送信マッピングＡと集中送信マッピングＢに必要な無線リソース割当情報の量は同じにしてもよい。
【００２２】
次に、タイプ２の無線リソース割当情報について説明する。タイプ２の無線リソース割当情報は、最初に割り当てる物理リソースブロックＶＲＢナンバー（Ｓｔａｒｔｉｎｇ  ＶＲＢ  ｎｕｍｂｅｒ）と連続して割り当てる物理リソースブロックＶＲＢ数（Ｎｕｍｂｅｒ  ｏｆ  ｃｏｎｓｅｃｕｔｉｖｅ  ＰＲＢｓ）が下りリンク制御チャネルに構成されて、基地局装置から移動局装置に通知される。このとき、ＶＲＢナンバーとＰＲＢナンバーは同一の対応付がなされる。つまり、ＶＲＢナンバー１の仮想リソースブロックＶＲＢ１は、ＰＲＢナンバー１の物理リソースブロックＰＲＢ１に配置される。（以下、このタイプ２の無線リソース割当情報を用いるときの割り当ての方法を、「集中送信マッピングＣ」という）集中送信マッピングＣは集中送信マッピングＡと集中送信マッピングＢと比較して無線リソース割当情報量が少ないのが利点であるが、無線リソース割り当ては連続する物理リソースブロックＰＲＢペアに限定される。集中送信マッピングＣによる詳細なマッピング方法は後述する。
【００２３】
以下、上述の３種類の集中送信マッピングＡ〜Ｃについて、それぞれのＲＢＧサイズのときの詳細な例について説明する。
図４は、タイプ０の無線リソース割当情報、すなわち集中送信マッピングＡによる無線リソース割当情報の構成を示す図である。無線リソース割当情報は下りリンク制御情報(Ｄｏｗｎｌｉｎｋ  ｃｏｎｔｒｏｌ  ｉｎｆｏｒｍａｔｉｏｎ)に含まれるが、集中送信マッピングＡと集中送信マッピングＢは同じ下りリンク制御情報のフォーマットを用いる。そこで、無線リソース割当情報が集中送信マッピングＡと集中送信マッピングＢのどちらを示しているかを区別する必要があるため、無線リソース割当情報の先頭には、集中送信マッピングＡと集中送信マッピングＢを区別するためのフラグ（以下、「無線リソース割当タイプフラグ」という）が配置され、集中送信マッピングＡの場合は、続いてリソースブロックグループＲＢＧ単位のビットマップが配置される。リソースブロックグループＲＢＧ単位のビットマップは、当該無線リソース割当情報の宛先の移動局装置に、どの物理リソースブロックＰＲＢペアが割り当てられたかを示す。
【００２４】
図５は、システム帯域幅に含まれる物理リソースブロックＰＲＢペアの数が６でＲＢＧサイズが１のときの集中送信マッピングＡの無線リソース割当情報の例と、この例によって割り当てられる物理リソースブロックＰＲＢを示す図である。図５と図６と図７と図１４において、符号ＰＲＢｉ(ｉは整数)が付された四角は周波数方向に並んだ物理リソースブロックＰＲＢペアに端から数字（ＰＲＢ番号）をつけたものであり、斜線にてハッチングされた符号ＰＲＢｉ(ｉは整数)が付された四角は、対象の移動局装置宛ての仮想リソースブロックＶＲＢを割り当てられた物理リソースブロックＰＲＢペアを示しており、符号ＰＲＢｉ(ｉは整数)が付された白抜きの四角は、対象の移動局装置宛ての仮想リソースブロックＶＲＢを割り当てられていない物理リソースブロックＰＲＢペアを示す。また、数字が付された白抜きの四角は無線リソース割当情報中のビットマップの各ビットを「０」と「１」で示したものである。
【００２５】
ＲＢＧサイズが１のときは集中送信マッピングＢは使われないので、無線リソース割当タイプフラグは必要ない。また、ＲＢＧサイズが１なので、無線リソース割当情報には、物理リソースブロックＰＲＢペア単位で６ビットのビットマップが配置される。無線リソース割当情報が、例えば｛０，０，０，１，１，０｝のときは、リソースブロックグループＲＢＧ４とリソースブロックグループＲＢＧ５が、つまり４番目と５番目の物理リソースブロックＰＲＢペアが割り当てられていることを示す。
【００２６】
図６は、システム帯域幅に含まれる物理リソースブロックＰＲＢペアの数が２４でＲＢＧサイズが２のときの集中送信マッピングＡの無線リソース割当情報の例と、この例によって割り当てられる物理リソースブロックＰＲＢペアを示す図である。以下、例として無線リソース割当タイプフラグが「０」のときは集中送信マッピングＡを示し、無線リソース割当タイプフラグが「１」のときは集中送信マッピングＢを示すとする。
【００２７】
図６に例示する無線リソース割当情報の無線リソース割当タイプフラグは「０」なので、集中送信マッピングＡであることを示している。また、無線リソース割当タイプフラグに続いて配置されており、リソースブロックグループＲＢＧ単位の無線リソース割当を示す１２ビットのビットマップは｛０，０，０，１，０，０，０，０，０，０，１，０｝なので、リソースブロックグループＲＢＧ４とＲＢＧ１１が割り当てられていることを示す。つまり、７番目と８番目と２１番目と２２番目の物理リソースブロックＰＲＢペアが割り当てられていることを示す。
【００２８】
図７は、システム帯域幅に含まれる物理リソースブロックＰＲＢペアの数が４５でＲＢＧサイズが３のときの集中送信マッピングＡの無線リソース割当情報と、無線リソース割当情報によって割り当てられる物理リソースブロックＰＲＢペアの例を示す図である。図７に例示する無線リソース割当情報の無線リソース割当タイプフラグは「０」なので、集中送信マッピングＡであることを示している。また、無線リソース割当タイプフラグに続いて配置されており、リソースブロックグループＲＢＧ単位の無線リソース割当を示す１５ビットのビットマップは｛０，０，０，１，０，０，０，０，０，０，０，０，０，１，０｝なので、リソースブロックグループＲＢＧ４とＲＢＧ１４が割り当てられていることを示す。つまり、１０番目と１１番目と１２番目と４０番目と４１番目と４２番目の物理リソースブロックＰＲＢペアが割り当てられていることを示す。
また、ＲＢＧサイズが４など３を超える値のときでも、無線リソース割当情報は、図６、図７にて示したＲＢＧサイズが２と３のときと同様である。
【００２９】
図８は、タイプ１の無線リソース割当情報、すなわち集中送信マッピングＢによる無線リソース割当情報の構成を示す図である。図８に示すように、集中送信マッピングＢの無線リソース割当情報は、無線リソース割当タイプフラグと、無線リソース割当情報が示す物理リソースブロックＰＲＢがどのサブセットに属するのかを示すフラグ(以下、「サブセットフラグ」という)と、物理リソースブロックＰＲＢペア単位のビットマップとから構成される。ここで、ＲＢＧサイズとサブセットの数が同じであれば、集中送信マッピングＡにおけるリソースブロックグループの数と集中送信マッピングＢにおける各サブセットに属する物理リソースブロックＰＲＢの数と同じになるため、これらについてのビットマップのサイズも同じになる。しかし、集中送信マッピングＢの無線リソース割当情報はサブセットフラグを持つため、集中送信マッピングＡと集中送信マッピングＢの無線リソース割当情報のサイズを同じにするために、集中送信マッピングＢのビットマップのサイズをサブセットフラグのサイズだけ小さくする。なお、このようにサブセットフラグのサイズだけビットマップのサイズを小さくしているため、該ビットマップでは指定できない物理リソースブロックＰＲＢが存在する。
【００３０】
ＲＢＧサイズが１のときは、集中送信マッピングＢは使用しない。
図９は、システム帯域幅に含まれる物理リソースブロックＰＲＢペアの数が２４でＲＢＧサイズが２のときの集中送信マッピングＢの無線リソース割当情報の例と、この例によって割り当てられる物理リソースブロックＰＲＢペアを示す図である。図９と図１０と図１２において、符号ＰＲＢｉ(ｉは整数)が付された四角は、周波数方向に並んだ物理リソースブロックＰＲＢペアに端から数字（ＰＲＢ番号）をつけたものであり、符号ＲＢｉ（ｉは整数）が付された四角は、サブセットに分けられた物理リソースブロックＰＲＢペアにもう一度、一番左から右側に順番に番号を振りなおしたものである。
【００３１】
符号ＰＲＢｉまたは符号ＲＢｉが付された四角のうち、斜線でハッチングされた四角は、対象の移動局装置宛ての仮想リソースブロックＶＲＢを割り当てられた物理リソースブロックＰＲＢペアを示し、白抜きの四角は、対象の移動局装置宛ての仮想リソースブロックＶＲＢを割り当てられていない物理リソースブロックＰＲＢペアを示す。また、白抜きにバツがついた四角はサブセットを構成する物理リソースブロックＰＲＢペアのうち、ビットマップのビット数不足のために、そのサブセットでは割り当てることのできない物理リソースブロックＰＲＢペアを示す。また、数字が付された白抜きの四角は無線リソース割当情報中のビットマップの各ビットを「０」と「１」で示したものである。
【００３２】
図９では、奇数番目のリソースブロックグループＲＢＧからなるサブセットと、偶数番目のリソースブロックグループＲＢＧからなるサブセットの２つのサブセットを作る。また、サブセットフラグは１ビットであり、サブセットフラグの値が「０」のときは奇数番目のリソースブロックグループＲＢＧからなるサブセットを示し、サブセットフラグの値が「１」のときは偶数番目のリソースブロックグループＲＢＧからなるサブセットを示す。
【００３３】
図９の無線リソース割当情報の無線リソース割当タイプフラグは「１」なので集中送信マッピングＢを示しており、サブセットフラグは「１」なので偶数番目のリソースブロックグループＲＢＧで作られたサブセットを示している。サブセットフラグに続いて配置されている１１ビットのビットマップは、｛０，０，０，１，０，０，０，０，０，０，１｝なので、このビットマップは、サブセットフラグで示された偶数番目のリソースブロックグループＲＢＧからなるサブセットのうち、符号ＲＢ４とＲＢ１１の物理リソースブロックＰＲＢペアが割り当てられていることを示している。つまり、８番目と２３番目の物理リソースブロックＰＲＢペアが割り当てられていることを示している。なお、上述のように、ビットマップのビット数が１１ビットであるため、この方法では各サブセットの１２番目の物理リソースブロックペア、すなわち２２番目と２４番目の物理リソースブロックＰＲＢペアを割り当てることはできない。
【００３４】
図１０は、システム帯域幅に含まれる物理リソースブロックＰＲＢペアの数が４５でＲＢＧサイズが３のときの集中送信マッピングＢの無線リソース割当情報の例と、この例によって割り当てられる物理リソースブロックＰＲＢペア示す図である。図１０では、３で割ると１余るＲＢＧナンバーのリソースブロックグループＲＢＧと、３で割ると２余るＲＢＧナンバーのリソースブロックグループＲＢＧと、３で割ると余りのないＲＢＧナンバーのリソースブロックグループＲＢＧをグループとして３つのサブセットを作る。また、サブセットフラグは２ビットでサブセットフラグが「０，０」のときは３で割ると１余るＲＢＧナンバーのリソースブロックグループＲＢＧで作られたサブセットを、サブセットフラグが「０，１」のときは３で割ると２余るＲＢＧナンバーのリソースブロックグループＲＢＧで作られたサブセットを、サブセットフラグが「１，０」のときは３で割ると余りのないＲＢＧナンバーのリソースブロックグループＲＢＧで作られたサブセットを示す。
【００３５】
図１０の無線リソース割当情報の無線リソース割当タイプフラグは「１」なので集中送信マッピングＢを示しており、サブセットフラグは「０，１」なので、３で割ると２余るＲＢＧナンバーのリソースブロックグループＲＢＧで作られたサブセットを示している。サブセットフラグに続いて配置されている１３ビットのビットマップは、｛０，０，１，０，０，０，０，０，０，０，０，０，０｝なので、このビットマップは、サブセットフラグで示された３で割ると２余るＲＢＧナンバーのリソースブロックグループＲＢＧで作られたサブセットのうち、符号ＲＢ３が付された物理リソースブロックＰＲＢペアが割り当てられている。つまり、６番目の物理リソースブロックＰＲＢペアが割り当てられていることを示している。
【００３６】
なお、上述のように、ビットマップのビット数が１３ビットであるため、この方法では各サブセットの１４番目、１５番目の物理リソースブロックペア、すなわち３８番目と３９番目と４１番目と４２番目と４４番目と４５番目の物理リソースブロックＰＲＢペアを割り当てることはできない。
また、ＲＢＧサイズが４など３を超える値のときでも、無線リソース割当情報は、図９、図１０にて示したＲＢＧサイズが２と３のときと同様である。
【００３７】
上述した集中送信マッピングＢでは無線リソースを割り当てることのできない物理リソースブロックＰＲＢペアが存在するが、集中送信マッピングＢを改良することで全ての物理リソースブロックＰＲＢペアに無線リソースを割り当てることができる方法がある。以下、その方法の詳細について説明する。
【００３８】
図１１は、集中送信マッピングＢを改良して全ての物理リソースブロックＰＲＢペアに無線リソースを割り当てるための無線リソース情報の構成を示す図である。図１１に示すように、図８の集中送信マッピングＢの無線リソース情報のビットマップのサイズを１ビット減らし、減らしたビットをサブセットフラグとビットマップとの間に配置し、サブセット内のインデックスをシフトするかしないかのフラグ（以下、「シフトフラグ」という）として使用する。
【００３９】
図１２は、システム帯域幅に含まれる物理リソースブロックＰＲＢペアの数が２４でＲＢＧサイズが２のときのシフトフラグを含む集中送信マッピングＢの無線リソース割当情報の例と、この例によって割り当てられる物理リソースブロックＰＲＢペアを示す図である。図１２では、奇数番目のリソースブロックグループＲＢＧからなるサブセットと、偶数番目のリソースブロックグループＲＢＧからなるサブセットの２つのサブセットを作る。また、サブセットフラグは１ビットでサブセットフラグが「０」のときは奇数番目のリソースブロックグループＲＢＧからなるサブセットを示し、サブセットフラグが「１」のときは偶数番目のリソースブロックグループＲＢＧからなるサブセットを示す。また、シフトフラグは１ビットでシフトフラグが「０」のときはサブセットに分けられた物理リソースブロックＰＲＢペアにもう一度、一番左から右に向かって順番に番号を振りなおし、シフトフラグが「１」のときは割り当てることができない物理リソースブロックＰＲＢペアの数だけ右にシフトした位置から右に向かって順番に番号を振りなおす。
【００４０】
図１２の無線リソース割当情報の無線リソース割当タイプフラグは「１」なので集中送信マッピングＢを示しており、サブセットフラグは「０」なので奇数番目のリソースブロックグループＲＢＧからなるサブセットを示している。サブセットフラグに続いて配置されているシフトフラグは、「１」なので、２つ右にシフトした位置から物理リソースブロックＰＲＢペアに番号を振ることを示す。さらに、シフトフラグに続いて配置されている１０ビットのビットマップは、｛０，０，０，０，０，０，０，０，０，１｝なので、このビットマップは、サブセットフラグで示された２つ右にシフトした位置から番号を振ったときの符号ＲＢ１０が付された物理リソースブロックＰＲＢペアが割り当てられている。つまり、２２番目の物理リソースブロックＰＲＢペアが割り当てられていることを示している。
このようにして、改良された集中送信タイプＢでは、図９で説明した集中送信マッピングＢでは割り当てることができなかった２２番目と２４番目の物理リソースブロックＰＲＢペアを割り当てることができる。
【００４１】
図１３は、タイプ２の無線リソース割当情報、すなわち集中送信マッピングＣによる無線リソース割当情報の構成を示す図である。集中送信マッピングＣの無線リソース割当情報と、分散物理リソースブロックＤＰＲＢペアに分散仮想リソースブロックＤＶＲＢを多重するときの無線リソース割当情報とは、同じ下りリンク制御情報のフォーマットで送信されるため、この無線リソース割当情報が集中送信と分散送信のどちらを対象としているかを示すフラグ（以下、「分散・集中フラグ」という）が先頭に配置されている。
【００４２】
よって、集中送信マッピングＣの無線リソース割当情報は、図１３に示すように、分散・集中フラグと、最初に割り当てる物理リソースブロックＶＲＢナンバー（Ｓｔａｒｔｉｎｇ  ＶＲＢ  ｎｕｍｂｅｒ）と、連続して割り当てる物理リソースブロックＶＲＢ数（Ｎｕｍｂｅｒ  ｏｆ  ｃｏｎｓｅｃｕｔｉｖｅ  ＶＲＢｓ）とから構成される。
【００４３】
図１４は、システム帯域幅に含まれる物理リソースブロックＰＲＢペアの数が２４のときの集中送信マッピングＣの無線リソース割当情報によって割り当てられる物理リソースブロックＰＲＢペアの例を示している。図１４において、符号ＶＲＢｉ（ｉは整数）が付された四角と符号ＰＲＢｉ（ｉは整数）が付された四角とは、仮想リソースブロックＶＲＢと物理リソースブロックＰＲＢペアに左から順番に数字をつけたものを示す。また、符号ＶＲＢｉ（ｉは整数）が付された白抜きの四角と符号ＰＲＢｉ（ｉは整数）が付された白抜きの四角は、対象の移動局装置に割り当てられなかった仮想リソースブロックＶＲＢと物理リソースブロックＰＲＢペアを示す。また、符号ＶＲＢｉ（ｉは整数）が付され、斜線でハッチングされた四角と、符号ＰＲＢｉ（ｉは整数）が付され、斜線でハッチングされた四角は、対象の移動局装置に割り当てられた仮想リソースブロックと物理リソースブロックＰＲＢペアを示す。
【００４４】
図１４では、最初に割り当てる物理リソースブロックＶＲＢナンバーが「５」、連続して割り当てる物理リソースブロックＶＲＢ数が「６」の例を示しているので、５番目と６番目と７番目と８番目と９番目と１０番目の仮想リソースブロックＶＲＢに物理リソースブロックが割り当てられている。図１４では、ＶＲＢナンバーとＰＲＢナンバーは同一の対応付がなされるので、割り当てられている物理リソースブロックＰＲＢは、5番目と６番目と７番目と８番目と９番目と１０番目の物理リソースブロックＰＲＢである。
【００４５】
例えば、図１４で最初に割り当てる物理リソースブロックＶＲＢナンバーが２４のときには連続して割り当てる物理リソースブロックＶＲＢ数は１以外の数字は使われない。従って、図１３のような無線リソース割当情報の構成では、実際には使わないビットの組み合わせが多数でてくる。このため、最初に割り当てる仮想リソースブロックＶＲＢナンバーと連続して割り当てる仮想リソースブロックＶＲＢ数とからある規則に従って計算した値を、最初に割り当てる物理リソースブロックＶＲＢナンバーと連続して割り当てる物理リソースブロックＶＲＢ数の代わりに無線リソース割当情報に配置することで使わないビットの組み合わせを減らすようにしてもよい。
【００４６】
分散物理リソースブロックＤＰＲＢへの分散仮想リソースブロックＤＶＲＢの多重方法（以下、「分散送信マッピング」という）としては時間多重方法を用いる（非特許文献５、非特許文献６）。図１５は、多重数Ｎｄが２の場合の分散送信マッピングを説明する図である。ここでは、下りリンク制御チャネルが、下りリンクパイロットチャネルが配置されたリソースエレメントを除いた、分散物理リソースブロックＤＰＲＢ中の１番目から３番目のＯＦＤＭシンボルに配置され、下りリンク共有データチャネルが４番目から１４番目のＯＦＤＭシンボルに配置され、さらに分散物理リソースブロックＤＰＲＢ中に、４本の送信アンテナの下りリンクパイロットチャネルが配置される場合について説明する。
【００４７】
分散仮想リソースブロックＤＶＲＢ１の信号は、分散物理リソースブロックＤＰＲＢ１の１番目のスロットの下りリンク共有データチャネル部分である４番目から７番目までのＯＦＤＭシンボルと、分散物理リソースブロックＤＰＲＢ２の２番目のスロットの下りリンク共有データチャネル部分である８番目から１４番目までのＯＦＤＭシンボルに配置される。また、分散仮想リソースブロックＤＶＲＢ２の信号は、分散物理リソースブロックＤＰＲＢ２の１番目のスロットの下りリンク共有データチャネル部分である４番目から７番目までのＯＦＤＭシンボルと、分散物理リソースブロックＤＰＲＢ１の２番目のスロットの下りリンク共有データチャネル部分である８番目から１４番目までのＯＦＤＭシンボルに配置される。つまり、多重数Ｎｄが２の場合、分散仮想リソースブロックＤＶＲＢの信号は、一方の分散物理リソースブロックＤＰＲＢの１番目のスロットと、もう一方の分散物理リソースブロックＤＰＲＢにおける先と異なる２番目のスロットとに配置される。
【００４８】
以上のような分散送信マッピングにおいて、基地局装置が移動局装置に対して分散仮想リソースブロックＤＶＲＢを割り当てるために用いる無線リソース割当情報として、最初に割り当てる分散仮想リソースブロックＤＶＲＢのＤＶＲＢ番号である物理リソースブロックＶＲＢナンバー（Ｓｔａｒｔｉｎｇ  ＶＲＢ  ｎｕｍｂｅｒ）と、連続して割り当てる分散仮想リソースブロックＤＶＲＢの数である物理リソースブロックＶＲＢ数（Ｎｕｍｂｅｒ  ｏｆ  ｃｏｎｓｅｃｕｔｉｖｅ  ＶＲＢｓ）とが下りリンク制御チャネルに配置されて、基地局装置から移動局装置に通知される（非特許文献７）。
【００４９】
図１６は、分散送信マッピングの無線リソース割当情報の構成を示す図である。分散送信マッピングの無線リソース割当情報は、分散仮想リソースブロックＤＶＲＢのＤＶＲＢ番号である物理リソースブロックＶＲＢナンバー（Ｓｔａｒｔｉｎｇ  ＶＲＢ  ｎｕｍｂｅｒ）と、連続して割り当てる分散仮想リソースブロックＤＶＲＢの数である物理リソースブロックＶＲＢ数（Ｎｕｍｂｅｒ  ｏｆ  ｃｏｎｓｅｃｕｔｉｖｅ  ＶＲＢｓ）とに加えて、集中送信マッピングＣの無線リソース割当情報と分散送信マッピングの無線リソース割当情報とを区別する分散・集中フラグとからなる。この分散・集中フラグは、集中送信マッピングＣで述べたようには、集中送信マッピングＣの無線リソース割当情報と分散送信マッピングの無線リソース割当情報とが同じ下りリンク制御情報のフォーマットで送信されるため、これらを区別するために配置される。
【００５０】
図１７は、基地局装置と移動局装置で使用される分散仮想リソースブロックＤＶＲＢの数が２４のときに割り当てられる分散仮想リソースブロックＤＶＲＢの例を示す図である。ここでは、２４個の仮想リソースブロックＶＲＢが構成され、その全てが分散仮想リソースブロックＤＶＲＢとして用いられる場合について示す。例えば、基地局装置は、最初に割り当てる物理リソースブロックＶＲＢナンバー（Ｓｔａｒｔｉｎｇ  ＶＲＢ  ｎｕｍｂｅｒ）として分散仮想リソースブロックＤＶＲＢ５の番号「５」を示し、連続して割り当てる物理リソースブロックＶＲＢ数（Ｎｕｍｂｅｒ  ｏｆ  ｃｏｎｓｅｃｕｔｉｖｅ  ＶＲＢｓ）として「２」を示す無線リソース割当情報を、ある移動局装置に通知する。この無線リソース割当情報を通知された移動局装置は、分散仮想リソースブロックＤＶＲＢ５番目と６番目の分散仮想リソースブロックＤＶＲＢを割り当てられたことを認識する。
【００５１】
このような分散送信マッピング、無線リソース割当情報において分散仮想リソースブロックＤＶＲＢと物理リソースブロックＰＲＢペアとの対応付け規則の例が、非特許文献８に記載されている。すなわち、どの物理リソースブロックＰＲＢペアを分散物理リソースブロックＤＰＲＢとして、分散仮想リソースブロックＤＶＲＢを対応付けるかということが、非特許文献８には記載されている。多重数Ｎｄ＝２の場合、ＤＶＲＢ番号が連続する２つの分散仮想リソースブロックＤＶＲＢは、２つの物理リソースブロックＰＲＢペアを構成する物理リソースブロックＰＲＢに分散して配置される。
【００５２】
図１８は、非特許文献８に記載されている多重数Ｎｄ＝２の場合の分散仮想リソースブロックＤＶＲＢと物理リソースブロックＰＲＢとの対応付けをするためのブロックインタリーバを例示する図である。以下、システム帯域幅に２４個の物理リソースブロックＰＲＢペアが構成されているとする。
【００５３】
非特許文献８では、ブロックインタリーバは、図１８に例示するように列の数が多重数Ｎｄ×２＝４、行の数がＮｒｂ/（２×Ｎｄ）＝６の升目からなる２次元配列である。ここで、Ｎｒｂはシステム帯域幅に含まれる物理リソースブロックＰＲＢの数である。このようなブロックインタリーバに対して、１番上の行の左から順番に数字を書き込んでいき、行の全ての升目に数字を書き込んだら次の行に順番に数字を書き込んでいくことを繰り返す。ここで、数字は分散仮想リソースブロックＤＶＲＢのＤＶＲＢ番号を示す。全ての升目に数字を書き込んだら、１番左の行の上から順番に数字を読み出していく。１番目に読み出した数字が１番目のスロットの物理リソースブロックＰＲＢ１に対応する分散仮想リソースブロックＤＶＲＢのＤＶＲＢ番号となり、２番目に読み出した数字が１番目のスロットの物理リソースブロックＰＲＢ２に対応する分散仮想リソースブロックＤＶＲＢのＤＶＲＢ番号となり、以下、全ての数字が読み出されるまで続ける。
【００５４】
図１８のブロックインタリーバによって、図１９の１番目のスロットの物理リソースブロックＰＲＢのＰＲＢ番号と、分散仮想リソースブロックＤＶＲＢのＤＶＲＢ番号の対応付けが求まる。非特許文献８では、同じ分散仮想リソースブロックＤＶＲＢがマッピングされる１番目のスロットと２番目のスロットの物理リソースブロックＰＲＢのＰＲＢ番号の差（以下、「ギャップ」という）が全ての分散仮想リソースブロックＤＶＲＢで同じになるようにするので、１番目のスロットのＰＲＢ番号とＤＶＲＢ番号の対応付けとギャップの値から２番目のスロットのＰＲＢ番号とＤＶＲＢ番号の対応付けを求めることができる。また、非特許文献８では、ギャップの値はＲＢＧサイズの整数倍であり、システム帯域に含まれる物理リソースブロック数の約半分の値にする。以下、この非特許文献８による対応付けの方法を、「分散送信マッピングＡ」という。
【００５５】
非特許文献９には、分散仮想リソースブロックＤＶＲＢと物理リソースブロックＰＲＢとを対応付けるときに満たすべき事柄についてまとめられている。
（１）まず、１つの分散仮想リソースブロックＤＶＲＢは２つの物理リソースブロックＰＲＢに割り当てられるので、２つの分散仮想リソースブロックＤＶＲＢを割り当てるときには４つの物理リソースブロックＰＲＢに割り当てられることになる。このとき、同じ物理リソースブロックＰＲＢペアの１番目のスロットと２番目のスロットに割り当てないようにするべきである。これは、物理的配置の異なる物理リソースブロックＰＲＢを用いることにより、周波数ダイバーシチ効果を高めるためである。
図１９で最初に割り当てる分散仮想リソースブロックＤＶＲＢのＤＶＲＢ番号が「１」で連続して割り当てる分散仮想リソースブロックＤＶＲＢの数が「２」のときは斜線でハッチングした物理リソースブロックＰＲＢが割り当てられるが、４つとも異なる物理リソースブロックＰＲＢに割り当てられるので、これは条件を満たしている。
【００５６】
（２）また、１番目のスロットに分散仮想リソースブロックＤＶＲＢ１を２番目のスロットに分散仮想リソースブロックＤＶＲＢ３を対応付けられた物理リソースブロックＰＲＢペアがあった場合、必ず１番目のスロットに分散仮想リソースブロックＤＶＲＢ３を２番目のスロットに分散仮想リソースブロックＤＶＲＢ１を対応付けられた物理リソースブロックＰＲＢペアが存在しなくてはならない。つまり、ある２つの物理リソースブロックＰＲＢペアは、２つの分散仮想リソースブロックＤＶＲＢが多重され、これらの物理リソースブロックＰＲＢペア間で分散仮想リソースブロックＤＶＲＢの１番目のスロットおよび２番目のスロットへの対応付けは対象関係である。これは、マッピングの複雑さを緩和するためである。
【００５７】
（３）ギャップの値はＲＢＧサイズとサブセットを掛けた値の整数倍にするべきである。そうすることで、１つ物理リソースブロックＰＲＢに多重される２つの分散仮想リソースブロックＤＶＲＢに注目したときに、この２つの分散仮想リソースブロックＤＶＲＢが対応づけられる１番目のスロットと２番目のスロットの２つの物理リソースブロックＰＲＢは、集中送信マッピングＢで使用するサブセットのうち同じサブセットの物理リソースブロックＰＲＢに対応付けられる。
【００５８】
つまり、図１９のように、分散仮想リソースブロックＤＶＲＢ１は１番目のスロットと２番目のスロットの両方でサブセット１に、分散仮想リソースブロックＤＶＲＢ２は１番目のスロットと２番目のスロットの両方でサブセット２に対応付けられているような状態が望ましいとされている。図１９の非特許文献８の方法は、ギャップをＲＢＧサイズの整数倍にすることになっているので、常にギャップがＲＢＧサイズとサブセット数を掛けたものの整数倍になるわけではない。
【００５９】
（３）において、なぜこのような条件が望ましいのかというと、集中送信マッピングＢで説明したように、分散仮想リソースブロックＤＶＲＢがリソースブロックグループＲＢＧを構成する物理リソースブロックＰＲＢの一部に対応付けられてしまうと、そのリソースブロックグループＲＢＧには集中送信マッピングＡで無線リソース割り当てをすることができなくなる。そこで、集中送信マッピングＢでリソースブロックグループＲＢＧを構成する残りの物理リソースブロックＰＲＢペアに集中仮想リソースブロックＬＶＲＢを割り当てる必要が出てくる。しかし、集中送信マッピングＢでは物理リソースブロックＰＲＢペアがサブセットに分割されており、一つの無線リソース割当情報で割り当てることができるのは、同じサブセットの物理リソースブロックＰＲＢのみである。このため、複数のサブセットに集中送信マッピングＢで割り当てなくてはいけない物理リソースブロックＰＲＢペアができてしまうと、１回で集中送信マッピングＢで割り当てを行ないたくてもできず、複数の下りリンク制御チャネルを用いなければならず、シグナリングオーバヘッドが増大する。このような状況を回避するためにもギャップの値はＲＢＧサイズとサブセットを掛けた値の整数倍にするべきである。
【００６０】
（４）システム帯域幅に含まれる物理リソースブロックＰＲＢペアの数が「５０」より少ないときにはギャップの値は１つとし、「５０」以上あるときにはギャップの値は２つとする。ギャップの値を２つ持つのは、無線リソースの割り当てに柔軟性を持たせるためである。
【非特許文献１】３ＧＰＰ  ＴＳ３６．２１１‐ｖ８．１．０（２００７‐１１）、Ｐｈｙｓｉｃａｌ  Ｃｈａｎｎｅｌｓ  ａｎｄ  Ｍｏｄｕｌａｔｉｏｎ（Ｒｅｌｅａｓｅ  ８）
【非特許文献２】３ＧＰＰ  ＴＳＧ  ＲＡＮ１  ＃４９ｂ，Ｏｒｌａｎｄｏ，Ｆｌｏｒｉｄａ−ＵＳＡ，２５−２９  Ｊｕｎｅ，２００７  Ｒ１−０７２６４６“Ｄｒａｆｔ  Ｒｅｐｏｒｔ  ｏｆ  ３ＧＰＰ  ＴＳＧ  ＲＡＮ  ＷＧ１  ＃４９  ｖ０．４．０”
【非特許文献３】３ＧＰＰ  ＴＳ３６．２１３‐ｖ８．１．０、Ｐｈｉｓｉｃａｌ  ｌａｙｅｒ  ｐｒｏｃｅｄｕｒｅｓ（Ｒｅｌｅａｓｅ  ８）
【非特許文献４】３ＧＰＰ  ＴＳＧ  ＲＡＮ１  ＃５１，Ｊｅｊｕ，Ｋｏｒｅａ，５−９  Ｎｏｖｅｍｂｅｒ，Ｒ１−０７５０６７  “Ｏｕｔｃｏｍｅ ｆｒｏｍ ａｄｈｏｃ ｓｅｓｓｉｏｎ ｏｎ ＲＢ ｓｉｇｎａｌｉｎｇ”
【非特許文献５】３ＧＰＰ  ＴＳＧ  ＲＡＮ１  ＃５０，Ａｔｈｅｎｓ，Ｇｒｅｅｃｅ，２０−２４  Ａｕｇｕｓｔ，２００７，Ｒ１−０７３８８７  “Ｐｒｏｐｏｓｅｄ  ｗａｙ  ｆｏｒｗａｒｄ  ｏｎ  ｄｉｓｔｒｉｂｕｔｅｄ  ＤＬ  ｔｒａｎｓｍｉｓｓｉｏｎ”
【非特許文献６】３ＧＰＰ  ＴＳＧ  ＲＡＮ１  ＃５０ｂｉｓ，Ｓｈａｎｇｈａｉ，Ｃｈｉｎａ，８−１２  Ｏｃｔｏｂｅｒ，２００７，Ｒ１−０７４０１９  “Ｄｏｗｎｌｉｎｋ  ＶＲＢ  ｅｍａｉｌ  ｒｅｆｌｅｃｔｏｒ  ｓｕｍｍａｒｙ”
【非特許文献７】３ＧＰＰ  ＴＳＧ  ＲＡＮ１  ＃５１，Ｊｅｊｕ，Ｓｏｕｔｈ  Ｋｏｒｅａ，５−９  Ｎｏｖｅｍｂｅｒ，２００７  “Ｄｒａｆｔ  Ｒｅｐｏｒｔ  ｏｆ  ３ＧＰＰ  ＴＳＧ  ＲＡＮ  ＷＧ１  ＃５１  ｖ０．１．０”
【非特許文献８】３ＧＰＰ  ＴＳＧ  ＲＡＮ１  ＃５２，Ｓｏｒｒｅｎｔｏ，Ｉｔａｌｙ，１１−１５  Ｆｅｂｒｕａｒｙ，２００８，Ｒ１−０８０９７７  “ＤＬ  ＤＶＲＢ  ｔｏ  ＰＲＢ  ｍａｐｐｉｎｇ”
【非特許文献９】３ＧＰＰ  ＴＳＧ  ＲＡＮ１  ＃５２，Ｓｏｒｒｅｎｔｏ，Ｉｔａｌｙ，１１−１５  Ｆｅｂｒｕａｒｙ，２００８，Ｒ１−０８１１１９  “Ｗａｙ  ｆｏｒｗａｒｄ  ＤＶＲＢ  ｔｏ  ＰＲＢ  ｍａｐｐｉｎｇ”
【発明の開示】
【発明が解決しようとする課題】
【００６１】
しかしながら、分散仮想リソースブロックＤＶＲＢと物理リソースブロックＰＲＢペアとの対応付け規則は、システム帯域幅、多重数、ギャップの大きさなどのパラメータによって異なるため、可変なパラメータが多いシステムにおいては、多数の対応付け規則に対応する必要があるという問題があった。
【００６２】
本発明は、このような事情に鑑みてなされたもので、その目的は、多数の対応付け規則に容易に対応できる無線通信システム、無線通信装置、無線送信方法および無線受信方法を提供することにある。
【課題を解決するための手段】
【００６３】
この発明は上述した課題を解決するためになされたもので、本発明の無線通信システムは、複数の第１の無線通信装置と、無線リソースを周波数方向および時間方向に予め決められた幅で区切った領域であって、前記第１の無線通信装置へ送信するデータの割り当て単位となる領域である物理リソース割当単位にて送信可能なデータ量の前記第１の無線通信装置宛てのデータの信号からなる仮想リソースブロックを所定の多重数に分割した信号群各々を、周波数方向に分散した前記多重数の前記物理リソース割当単位に配置することで、各前記物理リソース割当単位に、異なる前記仮想リソースブロックから分割された前記多重数の信号群を多重した信号を送信する分散送信を行う第２の無線通信装置とを具備する無線通信システムにおいて、前記第２の無線通信装置は、前記多重数の前記信号群であって、同一の前記仮想リソースブロックから分割された前記信号群を配置する前記物理リソース割当単位の組合せと、該仮想リソースブロックの順番とからなる対応付けの規則を、前記仮想リソースブロック各々の順番を表す順番情報を２次元配列に書き込んで生成したブロックインタリーバから前記順番情報を行方向に読み出した順番を、該順番情報の仮想リソースブロックの信号群のうちの一つを配置する前記物理リソース割当単位を指定する情報とし、該順番情報の仮想リソースブロックの残りの信号群を配置する前記物理リソース割当単位を指定する情報を、前記ブロックインタリーバ内で列を入れ換えたブロックインタリーバから前記順番情報を行方向に読み出した順番とすることで生成し、該生成した対応付けの規則に従い、前記第１の無線通信装置へ送信するデータを割り当てた仮想リソースブロックの信号を割り当てる前記物理リソース割当単位を決定するリソース対応付部と、前記第１の無線通信装置へ送信するデータを割り当てた仮想リソースブロックを表す情報であって、前記対応付部が決定した前記規則における前記仮想リソースブロックの順番の開始位置と連続数とを表す情報とを少なくとも含む情報である無線リソース割当情報を生成する割当情報生成部と、前記リソース対応付部の決定に従い、前記第１の無線通信装置宛ての仮想リソースブロックの信号を多重するとともに、前記無線リソース割当情報を送信する信号を多重する多重部とを具備し、前記第１の無線通信装置は、前記リソース対応付部と同様にして生成したブロックインタリーバを用いて前記対応付けの規則を生成し、受信した無線リソース割当情報と前記対応付けの規則とに基づき、受信した信号から、当該第１の無線通信装置宛ての仮想リソースブロックの信号が配置された領域を検出する制御部と、前記制御部の検出結果に基づき、当該第１の無線通信装置宛ての仮想リソースブロックの信号を抽出する多重分離部とを具備することを特徴とする。
【００６４】
また、本発明の無線通信システムは、上述の無線通信システムであって、前記多重数は、２であり、前記第１の無線通信装置の制御部および前記第２の無線通信装置のリソース対応付部は、前記ブロックインタリーバ内で列を入れ換える際の入れ換え規則を、予め複数設定されていることを特徴とする。
【００６５】
また、本発明の無線通信システムは、上述の無線通信システムであって、前記第２の無線通信装置は、一つの仮想リソースブロックの信号を、一つの物理リソース割当単位に配置する集中送信を、さらに行ない、前記第２の無線通信装置は、前記集中送信における無線リソース割当情報として、前記第２の無線通信装置のシステム帯域幅に応じたグループサイズの周波数方向に連続する物理リソース割当単位からなる物理リソースグループを指定する無線リソース割当情報を用いる集中送信マッピングＡと、前記集中送信における無線リソース割当情報として、前記第２の無線通信装置のシステム帯域幅に応じたサブセット数の間隔をおいた前記物理リソースグループの集合であるサブセットを指定するサブセット指定情報と、該指定されたサブセット内において物理リソース割当単位を指定する情報とを含む無線リソース割当情報を用いる集中送信マッピングＢとのいずれかを用いて、前記集中送信を行ない、前記ブロックインタリーバの行数は、前記グループサイズと前記サブセット数の積であり、前記ブロックインタリーバの行各々に並べられた前記順番情報は、同じ行に並べられた前記順番情報同士が連続した値であることを特徴とする。
【００６６】
また、本発明の無線通信システムは、上述の無線通信システムであって、前記ブロックインタリーバの列の数は、該列の数に前記ブロックインタリーバの行の数を掛けた値が、前記第２の無線通信装置のシステム帯域幅に含まれる物理リソース割当単位の数を超えない最大の整数値であることを特徴とする。
【００６７】
また、本発明の無線通信システムは、上述の無線通信システムであって、前記ブロックインタリーバの列の数が前記多重数の倍数でないときは、前記ブロックインタリーバのうち、前記順番情報を書き込む列の数を前記多重数の倍数とすることを特徴とする。
【００６８】
また、本発明の無線通信システムは、上述の無線通信システムであって、前記対応付部が前記順番情報を２次元配列に書き込んで生成したブロックインタリーバが、前記対応付部による該ブロックインタリーバ内での列の入れ換えを行うと、入れ換えにより移動する列と該列の移動先の列との同じ行に書き込まれた順番情報が表す値が連続した値となるときは、該ブロックインタリーバの列を入れ換えた２次元配列をブロックインタリーバとして用いることを特徴とをする。
【００６９】
また、本発明の無線通信システムは、上述の無線通信システムであって、前記第２の無線通信装置は、一つの前記仮想リソースブロックを分割した信号群各々を、周波数方向に分散した前記物理リソース割当単位に配置する際の周波数方向の前記物理リソース割当単位間の距離であるギャップを表すフラグを、前記第１の無線通信装置に通知し、前記第１の無線通信装置の制御部は、前記ブロックインタリーバ内で列を入れ換えてブロックインタリーバを生成する際に、前記フラグが表すギャップに応じた入れ換えを行うことを特徴とする。
【００７０】
また、本発明の無線通信システムは、上述の無線通信システムであって、前記第２の無線通信装置は、前記順番情報を２次元配列に書き込んでブロックインタリーバを生成する際に、前記２次元配列のいずれかの列に前記順番情報を書き込まないときは、該書き込まない列を表すフラグを、前記第１の無線通信装置に通知し、前記第１の無線通信装置の制御部は、前記順番情報を２次元配列に書き込んでブロックインタリーバを生成する際に、前記２次元配列の列のうち、前記フラグに応じた列に前記順番情報を書き込まないことを特徴とする。
【００７１】
また、本発明の無線通信システムは、上述のいずれかの無線通信システムであって、前記無線リソース割当情報が、前記フラグを含むことを特徴とする。
【００７２】
また、本発明の無線通信システムは、上述のいずれかの無線通信システムであって、前記第２の無線通信装置は、前記フラグを予め下りリンク共有データチャネルに配置されるシステム情報にて前記第１の無線通信装置に通知することを特徴とする。
【００７３】
また、本発明の無線通信装置は、無線リソースを周波数方向および時間方向に予め決められた幅で区切った領域であって、通信相手装置へ送信するデータの割り当て単位となる領域である物理リソース割当単位にて送信可能なデータ量の前記通信相手装置宛てのデータの信号からなる仮想リソースブロックを所定の多重数に分割した信号群各々を、周波数方向に分散した前記多重数の前記物理リソース割当単位に配置することで、各前記物理リソース割当単位に、異なる前記仮想リソースブロックから分割された前記多重数の信号群を多重した信号を送信する分散送信を行う無線通信装置において、前記多重数の前記信号群であって、同一の前記仮想リソースブロックから分割された前記信号群を配置する前記物理リソース割当単位の組合せと、該仮想リソースブロックの順番とからなる対応付けの規則を、前記仮想リソースブロック各々の順番を表す順番情報を２次元配列に書き込んで生成したブロックインタリーバから前記順番情報を行方向に読み出した順番を、該順番情報の仮想リソースブロックの信号群のうちの一つを配置する前記物理リソース割当単位を指定する情報とし、該順番情報の仮想リソースブロックの残りの信号群を配置する前記物理リソース割当単位を指定する情報を、前記ブロックインタリーバ内で列を入れ換えたブロックインタリーバから前記順番情報を行方向に読み出した順番とすることで生成し、該生成した対応付けの規則に従い、前記通信相手装置へ送信するデータを割り当てた仮想リソースブロックの信号を割り当てる前記物理リソース割当単位を決定するリソース対応付部と、前記通信相手装置へ送信するデータを割り当てた仮想リソースブロックを表す情報であって、前記対応付部が決定した前記規則における前記仮想リソースブロックの順番の開始位置と連続数とを表す情報とを少なくとも含む情報である無線リソース割当情報を生成する割当情報生成部と、前記リソース対応付部の決定に従い、前記通信相手装置宛ての仮想リソースブロックの信号を多重するとともに、前記無線リソース割当情報を送信する信号を多重する多重部とを具備することを特徴とする。
【００７４】
また、本発明の無線通信装置は、無線リソースを周波数方向および時間方向に予め決められた幅で区切った領域であって、送信するデータの割り当て単位となる領域である物理リソース割当単位にて送信可能なデータ量のデータの信号からなる仮想リソースブロックを所定の多重数に分割した信号群各々を、周波数方向に分散した前記多重数の前記物理リソース割当単位に配置することで、各前記物理リソース割当単位に、異なる前記仮想リソースブロックから分割された前記多重数の信号群が多重された信号を受信する無線通信装置において、前記多重数の前記信号群であって、同一の前記仮想リソースブロックから分割された前記信号群を配置する前記物理リソース割当単位の組合せと、該仮想リソースブロックの順番とからなる対応付けの規則を、前記仮想リソースブロック各々の順番を表す順番情報を２次元配列に書き込んで生成したブロックインタリーバから前記順番情報を行方向に読み出した順番を、該順番情報の仮想リソースブロックの信号群のうちの一つを配置する前記物理リソース割当単位を指定する情報とし、該順番情報の仮想リソースブロックの残りの信号群を配置する前記物理リソース割当単位を指定する情報を、前記ブロックインタリーバ内で列を入れ換えたブロックインタリーバから前記順番情報を行方向に読み出した順番とすることで生成し、受信した無線リソース割当情報と生成した前記対応付けの規則とに基づき、受信した信号から、当該無線通信装置宛ての仮想リソースブロックの信号が配置された領域を検出する制御部と、前記制御部の検出結果に基づき、当該無線通信装置宛ての仮想リソースブロックの信号を抽出する多重分離部とを具備することを特徴とする。
【００７５】
また、本発明の無線送信方法は、無線リソースを周波数方向および時間方向に予め決められた幅で区切った領域であって、通信相手装置へ送信するデータの割り当て単位となる領域である物理リソース割当単位にて送信可能なデータ量の前記通信相手装置宛てのデータの信号からなる仮想リソースブロックを所定の多重数に分割した信号群各々を、周波数方向に分散した前記多重数の前記物理リソース割当単位に配置することで、各前記物理リソース割当単位に、異なる前記仮想リソースブロックから分割された前記多重数の信号群を多重した信号を送信する分散送信を行う無線通信装置における無線送信方法において、前記無線通信装置が、前記多重数の前記信号群であって、同一の前記仮想リソースブロックから分割された前記信号群を配置する前記物理リソース割当単位の組合せと、該仮想リソースブロックの順番とからなる対応付けの規則を、前記仮想リソースブロック各々の順番を表す順番情報を２次元配列に書き込んで生成したブロックインタリーバから前記順番情報を行方向に読み出した順番を、該順番情報の仮想リソースブロックの信号群のうちの一つを配置する前記物理リソース割当単位を指定する情報とし、該順番情報の仮想リソースブロックの残りの信号群を配置する前記物理リソース割当単位を指定する情報を、前記ブロックインタリーバ内で列を入れ換えたブロックインタリーバから前記順番情報を行方向に読み出した順番とすることで生成し、該生成した対応付けの規則に従い、前記第１の無線通信装置へ送信するデータを割り当てた仮想リソースブロックの信号を割り当てる前記物理リソース割当単位を決定する第１の過程と、前記無線通信装置が、前記通信相手装置へ送信するデータを割り当てた仮想リソースブロックを表す情報であって、前記第１の過程にて決定した前記規則における前記仮想リソースブロックの順番の開始位置と連続数とを表す情報とを少なくとも含む情報である無線リソース割当情報を生成する第２の過程と、前記無線通信装置が、前記第１の過程による決定に従い、前記通信相手装置宛ての仮想リソースブロックの信号を多重するとともに、前記無線リソース割当情報を送信する信号を多重する第３の過程とを備えることを特徴とする。
【００７６】
また、本発明の無線受信方法は、無線リソースを周波数方向および時間方向に予め決められた幅で区切った領域であって、送信するデータの割り当て単位となる領域である物理リソース割当単位にて送信可能なデータ量のデータの信号からなる仮想リソースブロックを所定の多重数に分割した信号群各々を、周波数方向に分散した前記多重数の前記物理リソース割当単位に配置することで、各前記物理リソース割当単位に、異なる前記仮想リソースブロックから分割された前記多重数の信号群が多重された信号を受信する無線通信装置における無線受信方法において、前記無線通信装置が、前記多重数の前記信号群であって、同一の前記仮想リソースブロックから分割された前記信号群を配置する前記物理リソース割当単位の組合せと、該仮想リソースブロックの順番とからなる対応付けの規則を、前記仮想リソースブロック各々の順番を表す順番情報を２次元配列に書き込んで生成したブロックインタリーバから前記順番情報を行方向に読み出した順番を、該順番情報の仮想リソースブロックの信号群のうちの一つを配置する前記物理リソース割当単位を指定する情報とし、該順番情報の仮想リソースブロックの残りの信号群を配置する前記物理リソース割当単位を指定する情報を、前記ブロックインタリーバ内で列を入れ換えたブロックインタリーバから前記順番情報を行方向に読み出した順番とすることで生成し、受信した無線リソース割当情報と生成した前記対応付けの規則とに基づき、受信した信号から、当該無線通信装置宛ての仮想リソースブロックの信号が配置された領域を検出する第１の過程と、前記無線通信装置が、前記第１の過程による検出結果に基づき、当該無線通信装置宛ての仮想リソースブロックの信号を抽出する第２の過程とを備えることを特徴とする。
【発明の効果】
【００７７】
この発明によれば、仮想リソースブロック各々の順番を表す順番情報を２次元配列に書き込んで生成したブロックインタリーバと、該ブロックインタリーバの列を入れ換えたブロックインタリーバとを用いて、分散送信マッピングにおける仮想リソースブロックと物理リソース割当単位との対応付け規則を生成するので、多数の対応付け規則に容易に対応できる。
【発明を実施するための最良の形態】
【００７８】
以下、図面を参照し、本発明の実施形態について説明する。本実施形態による無線通信システムは、基地局装置（第２の無線通信装置）１と、該基地局装置１が送信した信号を受信する複数の移動局装置（第１の無線通信装置）２とを具備する。基地局装置１から移動局装置２への無線通信の下りリンクは、下りリンクパイロットチャネルと、下りリンク同期チャネルと、報知チャネル、下りリンク制御チャネルと、下りリンク共有データチャネル、制御フォーマットインディケータチャネル、下りリンクＨＡＲＱ（Hybrid Automatic Repeat reQuest）インディケータチャネルとにより構成されている。また、移動局装置２から基地局装置１への無線通信の上りリンクは、上りリンクパイロットチャネルと、ランダムアクセスチャネルと、上りリンク制御チャネルと、上りリンク共有データチャネルとにより構成されている。
【００７９】
図２０は、本実施形態における基地局装置１から移動局装置２への下りリンク無線フレーム（無線リソース）の概略構成を示す図である。横軸は周波数領域、縦軸は時間領域を表している。下りリンク無線フレームは、集中（Ｌｏｃａｌｉｚｅｄ）送信の際の各移動局装置２への無線リソース割り当てなどの単位であり、予め決められた幅の周波数帯および時間帯からなるＰＲＢ（Ｐｈｙｓｉｃａｌ  Ｒｅｓｏｕｒｃｅ  Ｂｌｏｃｋ：物理リソースブロック）ペア（物理リソース割当単位）から構成されている。基本的に１物理リソースブロックＰＲＢペアは時間領域で連続する２個の物理リソースブロックＰＲＢから構成される。
【００８０】
１個の物理リソースブロックＰＲＢは周波数領域において１２個のサブキャリアから構成され、時間領域において７個のＯＦＤＭシンボルから構成される。システム帯域幅は、基地局装置１の通信帯域幅である。時間領域においては、７個のＯＦＤＭシンボルから構成されるスロット、２個のスロットから構成されるサブフレーム、１０個のサブフレームから構成される無線フレームがある。なお、１個のサブキャリアと１個のＯＦＤＭシンボルから構成されるユニットをリソースエレメントという。また、下りリンク無線フレームではシステム帯域幅に応じて複数の物理リソースブロックＰＲＢが配置される。
【００８１】
各サブフレームには少なくとも、情報データとシステム情報の送信に用いる下りリンク共有データチャネル、制御データの送信に用いる下りリンク制御チャネルが配置される。下りリンク共有データチャネル及び下りリンク制御チャネルのチャネル推定に用いる下りリンクパイロットチャネルについても配置されるが、図２においては図示しない。図２では、下りリンク制御チャネルは、ハッチングされた四角で示すサブフレームの１番目と２番目と３番目のＯＦＤＭシンボルに配置され、下りリンク共有データチャネルは、ハッチング無しの四角で示すその他のＯＦＤＭシンボルに配置された場合を示しているが、下りリンク制御チャネルが配置されるＯＦＤＭシンボルはサブフレーム単位で変化する。
【００８２】
なお、図２において図示は省略しているが、下りリンク制御チャネルを構成するＯＦＤＭシンボル数を示す制御フォーマットインディケータチャネルは１ＯＦＤＭシンボル目の予め決められた周波数位置に配置され、下りリンク制御チャネルは１番目のＯＦＤＭシンボルのみに配置されたり、１番目と２番目のＯＦＤＭシンボルに配置されたりする。また、同様に、図２において図示は省略しているが、下りリンクＨＡＲＱインディケータチャネルは１番目のＯＦＤＭシンボル、または１番目から３番目までのＯＦＤＭシンボルに亘って配置され、下りリンクＨＡＲＱインディケータチャネルを配置するＯＦＤＭシンボル数、１つの下りリンクＨＡＲＱインディケータチャネルを配置するＯＦＤＭ数は下りリンク共有データチャネルに配置されるシステム情報によって示される。なお、同一のＯＦＤＭシンボルにおいて下りリンク制御チャネルと下りリンク共有データチャネルは一緒に配置されない。下りリンク制御チャネルは、移動局識別子または移動局群識別子、下りリンク共有データチャネルの無線リソース割当情報、マルチアンテナ関連情報、変調方式、符号化率、ペイロードサイズ、再送パラメータなどが配置される。
【００８３】
本実施形態の基地局装置１は、移動局装置２宛ての１つの仮想リソースブロックＶＲＢ（仮想リソースブロック）を１つの物理リソースブロックＰＲＢペア（物理リソース割当単位）に割り当てて送信する集中送信と、仮想リソースブロックＶＲＢを予め決められた多重数Ｎｄに分割した信号群各々を、周波数方向に分散した多重数の物理リソースブロックＰＲＢペアに配置することで、各物理リソースブロックＰＲＢペアに、異なる仮想リソースブロックＶＲＢから分割された多重数の信号群を多重した信号を送信する分散送信を行う。ここで、仮想リソースブロックＶＲＢは、物理リソースブロックＰＲＢペアにて集中送信または分散送信可能なデータ量の移動局装置宛てのデータの信号からなり、集中送信される仮想リソースブロックＶＲＢを集中仮想リソースブロックＬＶＲＢといい、分散送信される仮想リソースブロックＶＲＢを分散仮想リソースブロックＤＶＲＢという。また、物理リソースブロックＰＲＢペアは、下りリンク無線フレームを周波数方向および時間方向に予め決められた幅で区切った領域、すなわち時間方向に連続した２つの物理リソースブロックＰＲＢであり、移動局装置２へ送信するデータの割り当て単位となる領域である。
【００８４】
図２１は、本発明の実施形態における基地局装置１の構成を示す概略ブロック図である。図２１に示すように、基地局装置１は、無線リソース制御部１０、制御部１１、受信処理部１２、送信処理部１３を具備する。無線リソース制御部１０は、移動局装置２との間欠送受信サイクル、変調方式・符号化率、送信電力、無線リソース割り当て、下りリンク制御チャネルを構成するＯＦＤＭシンボル数、多重などを管理し、これら管理内容を指示する制御情報を制御部１１に出力すると共に、制御部１１、送信処理部１３を通して移動局装置２に制御データとして通知する。
【００８５】
また、無線リソース制御部１０は、リソース対応付部１４を具備する。リソース対応付部１４は、同一の分散仮想リソースブロックＤＶＲＢから分割された信号群を配置する物理リソースブロックＰＲＢペアの組み合わせと、分散仮想リソースブロックＤＶＲＢの順番とからなる対応付けの規則を生成する。さらにリソース対応付部１４は、この対応付けの規則に従い、各移動局装置２へ送信するデータを割り当てた分散仮想リソースブロックＤＶＲＢの信号を割り当てる物理リソースブロックＰＲＢペアを決定する。
【００８６】
リソース対応付部１４は、上述の対応付けの規則を以下のようにして生成する。まず、リソース対応付部１４は、分散仮想リソースブロックＤＶＲＢ各々の順番を表すＤＶＲＢ番号（順番情報）を２次元配列に書き込んで生成したブロックインタリーバからＤＶＲＢ番号を行方向に読み出した順番を、該ＤＶＲＢ番号の分散仮想リソースブロックＤＶＲＢを分割した信号群のうちの一つを配置する物理リソースブロックＰＲＢペアを指定する情報（ＰＲＢ番号）とする。また、リソース対応付部１４は、上記によりその信号群のうちの一つを配置する物理リソースブロックＰＲＢペアを決めた分散仮想リソースブロックＤＶＲＢの残りの信号群を配置する物理リソースブロックＰＲＢペアを指定する情報を、上述のブロックインタリーバ内で列を入れ換えたブロックインタリーバからＤＶＲＢ番号を行方向に読み出した順番とする。
また、リソース対応付部１４は、上述のブロックインタリーバ内で列を入れ替える際の入れ替え規則を、ギャップ数をブロックインタリーバの行数で割った数に応じて予め複数設定されている。
【００８７】
また、リソース対応付部１４は、集中リソースブロックＬＶＲＢペアを割り当てる物理リソースブロックＰＲＢペアの規則であって、予め設定された複数の規則の中から、一つの規則を選択する。さらにリソース対応付部１４は、この選択した規則を用いて、移動局装置２宛の集中仮想リソースブロックＬＶＲＢを割り当てる物理リソースブロックＰＲＢペアを決定する。
【００８８】
制御部は１１、無線リソース制御部１０から入力された制御情報に基づいて送信処理部１３と受信処理部１２の制御を行うために、送信処理部１３と受信処理部１２に制御信号を出力する。制御部１１は、送受信信号の変調方式、符号化率の設定、下りリンク制御チャネルを構成するＯＦＤＭシンボル数の設定、各チャネルのリソースエレメントへの配置設定などの制御を、送信処理部１３および受信処理部１２に対して行う。また、制御部１１は、下りリンク制御チャネルに配置する制御データを生成し、送信処理部１３に送信を指示する。また、制御部１１は、下りリンク共有データチャネルに配置するシステム情報を生成し、送信処理部１３に情報データと共にデータとして送信を行うように指示する。
【００８９】
また、制御部１１は、割当情報生成部１５を具備する。割当情報生成部１５は、リソース対応付部１４による対応付けに従い、移動局装置２へ送信するデータを割り当てた分散仮想リソースブロックＤＶＲＢを、最初に割り当てる物理リソースブロックＶＲＢナンバー（Ｓｔａｒｔｉｎｇ  ＶＲＢ  ｎｕｍｂｅｒ、開始位置）および連続して割り当てる物理リソースブロックＶＲＢ数（Ｎｕｍｂｅｒ  ｏｆ  Ｃｏｎｓｅｃｕｔｉｖｅ  ＶＲＢｓ、連続数）により表す情報を少なくとも含む無線リソース割当て情報と、移動局装置２宛の集中仮想リソースブロックＬＶＲＢの物理リソースブロックＰＲＢペアへの対応付を表す情報を含む無線リソース割当情報とを生成し、これらの無線リソース割当て情報を下りリンク制御チャネルで送信する制御データに含めて、送信処理部１３に出力する
【００９０】
送信処理部１３は、制御部１１からの入力に基づき、下りリンク制御チャネル、下りリンク共有データチャネル、下りリンクパイロットチャネル、制御フォーマットインディケータチャネルを生成し、各チャネルを下りリンク無線フレームに多重し、複数の、例えば４つの送信アンテナを介して、各移動局装置２に送信する。なお、本発明とは直接の関連がないため、報知チャネル、下りリンク同期チャネル、下りリンクＨＡＲＱインディケータチャネルに関する処理の説明は省略する。
【００９１】
受信処理部１２は、制御部１１からの入力に基づき、各移動局装置２が送信した上りリンク制御チャネル、上りリンク共有データチャネル、上りリンクパイロットチャネル、ランダムアクセスチャネルの受信を受信アンテナを介して行う。なお、本発明とは直接の関連がないため、上りリンクに関する処理（受信処理部）の説明は省略する。
【００９２】
図２２は、本実施形態における基地局装置１の送信処理部１３の内部構成を示す概略ブロック図である。基地局装置１の送信処理部１３は、複数の下りリンク共有データチャネル処理部１３０と、複数の下りリンク制御チャネル処理部１４０と、参照信号（下りリンクパイロットチャネル）生成部１２０と、制御フォーマットインディケータ信号生成部１１０と、多重部１５０と、送信アンテナ毎にアンテナ毎送信処理部１６０とを具備する。複数の下りリンク共有データチャネル処理部１３０、複数の下りリンク制御チャネル処理部１４０、送信アンテナ毎のアンテナ毎送信処理部１６０は、各々同様の構成及び機能を有するので、それぞれの一つを代表して説明する。
【００９３】
下りリンク共有データチャネル処理部１３０は、外部から入力された情報データおよび制御部１１から入力されたシステム情報について下りリンク共有データチャネルの処理を行う、すなわち各々の下りリンク共有データチャネル処理部１３０が、いずれか一つの移動局装置２宛ての情報データおよび制御データを受けて、ターボ符号化およびデータ変調を行い、該移動局装置２宛ての分散仮想リソースブロックＤＶＲＢ、または集中仮想リソースブロックＬＶＲＢの信号を生成する。下りリンク共有データチャネル処理部１３０は、ターボ符号部１３１と、データ変調部１３２とを具備する。
【００９４】
下りリンク制御チャネル処理部１４０は、制御部１１から入力された制御データについて下りリンク制御チャネルの処理を行う、すなわち各々の下りリンク制御チャネル処理部１４０が、いずれかの一つの移動局装置２宛の制御データであって、該移動局装置２宛ての分散仮想リソースブロックＤＶＲＢ、または集中仮想リソースブロックＬＶＲＢの無線リソース割当情報を含む制御データを受けて、畳み込み符号化およびＱＰＳＫ変調を行い、該制御データの信号を生成する。下りリンク制御チャネル処理部１４０は、畳み込み符号部１４１と、ＱＰＳＫ変調部１４２とを具備する。
【００９５】
送信アンテナ毎送信処理部１６０は、多重部１５０が各送信アンテナ向けに多重した信号を、各送信アンテナを介して送信する。送信アンテナ毎送信処理部１６０は、ＩＦＦＴ（Ｉｎｖｅｒｓｅ  Ｆａｓｔ  Ｆｏｕｒｉｅｒ  Ｔｒａｎｓｆｏｒｍ：高速逆フーリエ変換）部１６１と、ＧＩ（Ｇｕａｒｄ  Ｉｎｔｅｒｖａｌ：ガードインターバル）挿入部１６２と、Ｄ／Ａ（ディジタル／アナログ変換）部１６３と、送信ＲＦ（Ｒａｄｉｏ  Ｆｒｅｑｕｅｎｃｙ；無線周波数）部１６４とを具備する。
【００９６】
複数の下りリンク共有データチャネル処理部１３０各々は、外部から入力された情報データ、および制御部１１から入力されたシステム情報（以下、情報データとシステム情報とをあわせて「データ」という）をＯＦＤＭ方式で伝送するためのベースバンド処理を行う。ターボ符号部１３１は、制御部１１からの符号化率の指示に従い、入力されたデータの誤り耐性を高めるためのターボ符号による誤り訂正符号化を行う。データ変調部１３２は、ＱＰＳＫ（Ｑｕａｄｒａｔｕｒｅ  Ｐｈａｓｅ  Ｓｈｉｆｔ  Ｋｅｙｉｎｇ；４相位相偏移変調）、１６ＱＡＭ（１６Ｑｕａｄｒａｔｕｒｅ  Ａｍｐｌｉｔｕｄｅ  Ｍｏｄｕｌａｔｉｏｎ；１６値直交振幅変調）、６４ＱＡＭ（６４Ｑｕａｄｒａｔｕｒｅ  Ａｍｐｌｉｔｕｄｅ  Ｍｏｄｕｌａｔｉｏｎ；６４値直交振幅変調）等のような変調方式のうち制御部１１から指示された変調方式で、ターボ符号部１３１により誤り訂正符号化されたデータを変調する。
【００９７】
複数の下りリンク制御チャネル処理部１４０各々は、制御データをＯＦＤＭ方式で伝送するためのベースバンド処理を行う。畳み込み符号部１４１は、制御部１１から入力された制御データの誤り耐性を高めるための畳み込み符号による誤り訂正符号化を行う。ＱＰＳＫ変調部１４２は、畳み込み符号部１４１により誤り訂正符号化された制御データをＱＰＳＫ変調方式で変調する。参照信号生成部１２０は、下りリンクパイロットチャネルで基地局装置１の各送信アンテナが送信する参照信号を生成する。制御フォーマットインディケータ信号生成部１１０は、下りリンク制御チャネルを構成するＯＦＤＭシンボルを示す情報を制御フォーマットインディケータチャネルで送信する制御フォーマットインディケータ信号を生成する。
【００９８】
多重部１５０は、制御部１１からの制御信号に基づいて、下りリンク共有データチャネル処理部１３０が出力した符号化及び変調等の処理済の各移動局装置２宛てのデータの送信信号と、下りリンク制御チャネル処理部１４０が出力した符号化及び変調等の処理済みの制御データの送信信号と、制御フォーマットインディケータ信号と、参照信号とを各送信アンテナ向けのリソースエレメントに配置する。
【００９９】
多重部１５０は、下りリンク共有データチャネル処理部１３０が生成した送信信号のうち、分散仮想リソースブロックＤＶＲＢの信号については、下りリンク共有データチャネルの物理リソースブロックＰＲＢペアにおけるリソースエレメントへ配置する。このとき、分散仮想リソースブロックＤＶＲＢの信号配置には、多重数Ｎｄが２の場合は、２つの物理リソースブロックＰＲＢを用いてスロットベースホッピング（Ｓｌｏｔ−ｂａｓｅｄ  ｈｏｐｐｉｎｇ）を用いる。このスロットベースホッピングについては、図２３の説明にて詳述する。なお、物理リソースブロックＰＲＢペアと分散仮想リソースブロックＤＶＲＢの対応付けは、無線リソース制御部１０のリソース対応付部１４が決定する。多重部１５０は、この対応付けの結果を表す対応付けの規則と分散仮想リソースブロックＤＶＲＢのＤＶＲＢ番号とを表す制御情報を制御部１１を介して入力され、該制御情報に従い、分散仮想リソースブロックＤＶＲＢの信号を多重数Ｎｄ個の物理リソースブロックＰＲＢペアに分散して配置する。
【０１００】
ここで、ＤＶＲＢ番号とは、分散仮想リソースブロックＤＶＲＢ各々に割り当てられる番号であり、各分散仮想リソースブロックＤＶＲＢが割り当てられる物理リソースブロックＰＲＢペアの組み合わせに対応付け規則により対応付けられた番号である。従って、必ずしも１から順に割り当てられる番号ではないが、同一のサブフレームに割り当てられる分散仮想リソースブロックＤＶＲＢの間では重複しない。また、後述するＬＶＲＢ番号とは、集中仮想リソースブロックＬＶＲＢ各々に割り当てられる番号であり、各集中仮想リソースブロックＬＶＲＢが割り当てられる物理リソースブロックＰＲＢペアに対応付け規則により対応付けられた番号である。従って、必ずしも１から順に割り当てられる番号ではないが、同一のサブフレームに割り当てられる集中仮想リソースブロックＬＶＲＢの間では重複しない。
【０１０１】
また、多重部１５０は、下りリンク共有データチャネル処理部１３０が生成した送信信号のうち、集中仮想リソースブロックＬＶＲＢの信号については、下りリンク共有データチャネルの物理リソースブロックＰＲＢペアにおけるリソースエレメントへ配置する。このとき、集中仮想リソースブロックＬＶＲＢの信号配置には、集中送信マッピングＡ、集中送信マッピングＢまたは集中送信マッピングＣのいずれかを用いる。なお、物理リソースブロックＰＲＢペアと集中仮想リソースブロックＬＶＲＢの対応付は無線リソース制御部１０のリソース対応付部１４決定する。多重部１５０は、この対応付けの結果を表す制御情報を制御部１１を介して入力され、該制御情報に従い、集中仮想リソースブロックＬＶＲＢの信号を物理リソースブロックＰＲＢペアに配置する。
【０１０２】
ＩＦＦＴ部１６１は、多重部１５０から入力された信号を高速逆フーリエ変換して、ＯＦＤＭ方式の変調を行う。ＧＩ挿入部１６２は、ＩＦＦＴ部１６１によりＯＦＤＭ変調済みの信号にガードインターバルを付加することで、ＯＦＤＭ方式におけるシンボルとし、ベースバンドのディジタル信号を生成する。ガードインターバルは、伝送するシンボルの先頭又は末尾の一部を複製する公知の方法によって得る。Ｄ／Ａ部１６３は、ＧＩ挿入部１６２から入力されたベースバンドのディジタル信号をアナログ信号に変換する。
【０１０３】
送信ＲＦ部１６４は、Ｄ／Ａ部１６３から入力されたアナログ信号から、中間周波数の同相成分及び直交成分を生成し、中間周波数帯域に対する余分な周波数成分を除去し、中間周波数の信号を高周波数の信号に変換（アップコンバート）し、余分な周波数成分を除去し、電力増幅し、対応する送信アンテナに出力する。基地局装置１は、アンテナ毎送信処理部１６０を、送信に使用される送信アンテナの数だけ、すなわち、本実施形態では４つ具備し、各アンテナ毎送信処理部１６０は多重部１５０が出力した各送信アンテナ向けの信号のうち、対応する送信アンテナ向けの信号を処理する。
【０１０４】
図２３は、多重数Ｎｄが２の場合に分散仮想リソースブロックＤＶＲＢの物理リソースブロックＰＲＢペアへの信号配置に用いられるスロットベースホッピングを説明する図である。ここでは、多重部１５０により、下りリンク制御チャネルが、下りリンクパイロットチャネルが配置されたリソースエレメントを除いた分散物理リソースブロックＤＰＲＢ中の１番目から３番目のＯＦＤＭシンボルに配置され、下りリンク共有データチャネルが、４番目から１４番目のＯＦＤＭシンボルに配置され、４本の送信アンテナの下りリンクパイロットチャネルＲ１、Ｒ２、Ｒ３、Ｒ４が配置された場合について説明する。
【０１０５】
多重数Ｎｄが２の場合、分散仮想リソースブロックＤＶＲＢ１とＤＶＲＢ２を２つの同じ分散物理リソースブロックＤＰＲＢ（ＤＰＲＢ１とＤＰＲＢ２）内に配置する。多重数Ｎｄが２の場合、分散仮想リソースブロックＤＶＲＢ１とＤＶＲＢ２の信号の時間多重には、スロットベースホッピング（Ｓｌｏｔ−ｂａｓｅｄ  ｈｏｐｐｉｎｇ）を用いる。
【０１０６】
スロットベースホッピングでは、分散仮想リソースブロックＤＶＲＢ１の信号は、下りリンクパイロットチャネルＲ１、Ｒ２、Ｒ３、Ｒ４が配置されるリソースエレメントを除いた、分散物理リソースブロックＤＰＲＢ１の１番目のスロットの下りリンク共有データチャネル部分である４番目から７番目までのＯＦＤＭシンボルと、分散物理リソースブロックＤＰＲＢ２の２番目のスロットの下りリンク共有データチャネル部分である８番目から１４番目までのＯＦＤＭシンボルに、多重部１５０により配置される。すなわち、多重部１５０は、１つの分散仮想リソースブロックＤＶＲＢの信号を、２つの物理リソースブロックＰＲＢペア各々を物理リソースブロックＰＲＢの境界にて時間方向に２つに分けた領域のうち、異なる時間領域の２つの領域に割り当てる。
【０１０７】
そして、分散仮想リソースブロックＤＶＲＢ２の信号は、下りリンクパイロットチャネルＲ１、Ｒ２、Ｒ３、Ｒ４が配置されるリソースエレメントを除いた、分散物理リソースブロックＤＰＲＢ２の１番目のスロットの下りリンク共有データチャネル部分である４番目から７番目までのＯＦＤＭシンボルと、分散物理リソースブロックＤＰＲＢ１の２番目のスロットの下りリンク共有データチャネル部分である８番目から１４番目までのＯＦＤＭシンボルに配置される。つまり、多重数Ｎｄが２の場合、分散仮想リソースブロックＤＶＲＢの信号は、一方の分散物理リソースブロックＤＰＲＢの１番目のスロットと、もう一方の分散物理リソースブロックＤＰＲＢにおける先と異なる２番目のスロットとに配置される。
【０１０８】
このような分散送信マッピングの無線リソース割当情報では、物理リソースブロックＶＲＢナンバーと物理リソースブロックＶＲＢ数とにより、連続する仮想リソースブロックＶＲＢのＶＲＢ番号を指定することで、予め設定された対応付けの規則により各ＶＲＢ番号に対応付けられた物理リソースブロックＰＲＢペアを指定する。
【０１０９】
図２４は、多重部１５０による集中仮想リソースブロックＬＶＲＢペアの信号配置に用いられる３通りの方法を説明する図である。図２４の上段には一つ目の方法である集中送信マッピングＡを説明する図を、中段には二つ目の方法である集中送信マッピングＢを説明する図を、下段には三つ目の方法である集中送信マッピングＣを説明する図を示す。ここではシステム帯域中に物理リソースブロックＰＲＢは２４個あるとして説明する。
【０１１０】
集中送信マッピングＡの場合、連続した物理リソースブロックＰＲＢペアをリソースブロックグループＲＢＧとして、リソースブロックグループＲＢＧ単位で集中仮想リソースブロックＬＶＲＢの信号を配置する。この集中送信マッピングＡでは、基地局装置１のシステム帯域幅に応じたＲＢＧサイズ（グループサイズ）の周波数方向に連続する物理リソースブロックＰＲＢペアからなるリソースブロックグループＲＢＧ（物理リソースグループ）を指定する無線リソース割当情報を用いる。より具体的には、この無線リソース割当情報では、当該無線リソース割当情報が対象とする移動局装置２に割り当てるリソースブロックグループＲＢＧを、各ビットがリソースブロックグループＲＢＧを表すビットマップにより指定する。
【０１１１】
図２４では２つの連続した物理リソースブロックＰＲＢペアで１つのリソースブロックグループＲＢＧを構成している。すなわち、それぞれ符号ＰＲＢ１とＰＲＢ２とを付した物理リソースブロックＰＲＢペアでリソースブロックグループＲＢＧ１を構成し、それぞれ符号ＰＲＢ３とＰＲＢ４とを付した物理リソースブロックＰＲＢペアでリソースブロックグループＲＢＧ２を構成し、以下それぞれ符号ＰＲＢ１とＰＲＢ２とを付した物理リソースブロックＰＲＢペアでリソースブロックグループＲＢＧ１２を構成するまで、周波数方向に連続する２つの物理リソースブロックＰＲＢペア毎にリソースブロックグループＲＢＧを構成している。
【０１１２】
集中送信マッピングＡの無線リソース割当情報では、各ビットがリソースブロックグループＲＢＧを表すビットマップにより割り当てるリソースブロックグループＲＢＧを指定するため、集中仮想リソースブロックＬＶＲＢはリソースブロックグループＲＢＧを構成する物理リソースブロックＰＲＢペアの数と同じ単位でしか割り当てることができない。例えば、２つの集中仮想リソースブロックＬＶＲＢはリソースブロックグループＲＢＧ１を構成する符号ＰＲＢ１を付した物理リソースブロックＰＲＢペアと符号ＰＲＢ２を付した物理リソースブロックＰＲＢペアとに配置することができる。
【０１１３】
集中送信マッピングＢは、リソースブロックグループＲＢＧを複数のグループに分けリソースブロックグループＲＢＧのセットであるサブセットを作り、そのサブセットを構成する物理リソースブロックＰＲＢペア単位を指定して集中仮想リソースブロックＬＶＲＢの信号を配置する。ここで、サブセットは、基地局装置１のシステム帯域幅に応じたサブセット数の間隔をおいたリソースブロックグループＲＢＧの集合である。この集中送信マッピングＢによる無線リソース割当情報は、該無線リソース割当情報が対象とする移動局装置２に割り当てる物理リソースブロックＰＲＢペアを、サブセットを指定する数値であるサブセット指定情報と、指定されたサブセット内において物理リソースブロックＰＲＢペアを指定するビットマップ情報により指定する。このビットマップ情報は、各ビットがサブセット指定情報により指定されたサブセットの物理リソースブロックＰＲＢペアを表すビットマップである。
【０１１４】
集中送信マッピングＢの無線リソース割当情報では、サブセットを指定する数値と、各ビットがこの数値により指定されたサブセットの物理リソースブロックＰＲＢペアを表すビットマップにより割り当てる物理リソースブロックＰＲＢペアを指定するため、一つの無線リソース割当情報では、集中仮想リソースブロックＬＶＲＢは同じサブセットに属する物理リソースブロックＰＲＢペアの数にしか割り当てることができない。例えば、３つの集中仮想リソースブロックＬＶＲＢは、サブセット１に属する符号ＲＢ１、ＲＢ２、ＲＢ３を付した物理リソースブロックＰＲＢペア、すなわち符号ＰＲＢ１、ＰＲＢ２、ＰＲＢ５を付した物理リソースブロックＰＲＢペアに配置されていれば、一つの無線リソース割当情報で通知することができる。
【０１１５】
集中送信マッピングＣは、周波数方向に連続する物理リソースブロックＰＲＢペアに集中仮想リソースブロックＬＶＲＢの信号を配置する。そして、集中送信マッピングＣの無線リソース割当情報では、分散仮想リソースブロックＤＶＲＢの割当と同様に、物理リソースブロックＶＲＢナンバーと物理リソースブロックＶＲＢ数とにより、連続するＶＲＢ番号を指定することで、予め設定された対応付けの規則により各ＶＲＢ番号に対応付けられた物理リソースブロックＰＲＢペアを指定する。ここでは、この対応付けの規則では、各ＶＲＢ番号に、該ＶＲＢ番号と一致する番号の物理リソースブロックＰＲＢペアを対応付ける。図２４では、例として無線リソース割当情報により物理リソースブロックＶＲＢナンバーは「１０」が指定され、物理リソースブロックＶＲＢ数は「６」が指定され、物理リソースブロックＰＲＢペア１０から物理リソースブロックＰＲＢペア１５に集中仮想リソースブロックＬＶＲＢが配置されている。
【０１１６】
図２５は、本実施形態における移動局装置２の構成を示す概略ブロック図である。図２５に示すように、移動局装置２は、制御部２１、受信処理部２２、送信処理部２３を有する。受信処理部２２は、受信アンテナを介して基地局装置１から受信した下りリンク制御チャネル、下りリンク共有データチャネル、下りリンクパイロットチャネル、制御フォーマットインディケータチャネルに対し受信処理を行う。受信処理部２２は、下りリンク制御チャネルを用いて通知された制御データと、下りリンク共有データチャネルを用いて通知されたシステム情報を制御部２１に出力する。
【０１１７】
制御部２１は、基地局装置１より下りリンク制御チャネルを用いて通知された制御データと、下りリンク共有データチャネルを用いて通知されたシステム情報に基づいて、送信処理部２３、受信処理部２２を制御する。また、制御部２１は、基地局装置１より通知された集中送信マッピングＡの無線リソース割当情報（無線リソース割当タイプフラグ、リソースブロックグループＲＢＧ単位のビットマップを含む）または集中送信マッピングＢの無線リソース割当情報（無線リソース割当タイプフラグ、サブセットフラグ、サブセット内の物理リソースブロックＰＲＢペア単位のビットマップを含む）または、集中送信マッピングＣの無線リソース割当情報（集中・分散フラグ、物理リソースブロックＶＲＢナンバー（Ｓｔａｒｔｉｎｇ  ＶＲＢ  ｎｕｍｂｅｒ）、物理リソースブロックＶＲＢ数（Ｎｕｍｂｅｒ  ｏｆ  ｃｏｎｓｅｃｕｔｉｖｅ  ＶＲＢｓ）を含む）または分散送信マッピングの無線リソース割当情報（集中・分散フラグ、物理リソースブロックＶＲＢナンバー（Ｓｔａｒｔｉｎｇ  ＶＲＢ  ｎｕｍｂｅｒ）、物理リソースブロックＶＲＢ数（Ｎｕｍｂｅｒ  ｏｆ  ｃｏｎｓｅｃｕｔｉｖｅ  ＶＲＢｓ）を含む）、制御フォーマットインディケータに基づき、自移動局装置２に集中送信または分散送信された信号が配置されたリソースエレメントを検出し、これらのリソースエレメントから受信した信号を抽出させる制御信号を受信処理部２２に出力する。
【０１１８】
自移動局装置２に集中送信または分散送信された信号が配置されたリソースエレメントの検出方法の詳細は後述するが、分散送信の場合は、リソース対応付部１４と同様にして生成したブロックインタリーバを用いて対応付けの規則を生成し、受信した無線リソース割当情報とこの対応付けの規則とに基づき、受信した信号から、当該移動局装置２宛ての仮想リソースブロックの信号が配置されたリソースエレメント（領域）を検出する。
【０１１９】
送信処理部２３は、外部から入力された情報データと制御部２１から入力された制御データの送信を、制御部２１からの入力に基づき上りリンク制御チャネル、上りリンク共有データチャネル、上りリンクパイロットチャネル、ランダムアクセスチャネルを用いて送信アンテナを介して行う。なお、本発明とは直接の関連がないため、送信処理部２３による上りリンクに関する処理の詳細については省略する。
【０１２０】
図２６は、本実施形態における移動局装置２の受信処理部２２の内部構成を示す概略ブロック図である。移動局装置２の受信処理部２２は、受信ＲＦ部２０１と、Ａ／Ｄ部２０２と、ＧＩ除去部２０３と、ＦＦＴ部２０４と、多重分離部２０５と、伝播路推定部２０６と、伝播路補償部２０７と、制御フォーマットインディケータ検出部２０８と、伝播路補償部２１２と、データ復調部２１３と、ターボ復号部２１４と、伝播路補償部２０９と、ＱＰＳＫ復調部２１０と、ビタビデコーダ部２１１とを具備する。本実施形態では、受信ＲＦ部２０１とＡ／Ｄ部２０２とＧＩ除去部２０３とＦＦＴ部２０４とで、受信部として機能する。
【０１２１】
受信ＲＦ部２０１は、受信アンテナを介して受信した信号を増幅し、中間周波数に変換し（ダウンコンバート）、不要な周波数成分を除去し、信号レベルが適切に維持されるように増幅レベルを制御し、受信した信号の同相成分及び直交成分に基づいて、直交復調する。Ａ／Ｄ部２０２は、受信ＲＦ部２０１により直交復調されたアナログ信号をディジタル信号に変換する。ＧＩ除去部２０３は、Ａ／Ｄ部２０２の出力したディジタル信号からガードインターバルに相当する部分を除去する。ＦＦＴ部２０４は、ＧＩ除去部２０３から入力された信号を高速フーリエ変換し、ＯＦＤＭ方式の復調を行う。
【０１２２】
多重分離部２０５は、制御部２１からの指示に基づき、ＦＦＴ部２０４がフーリエ変換した信号、すなわちＯＦＤＭ方式により復調された受信信号から下りリンクパイロットチャネル、制御フォーマットインディケータチャネル、下りリンク共有データチャネル、下りリンク制御チャネルを、配置されたリソースエレメントから抽出して、出力する。具体的には、多重分離部２０５は、固定の配置である下りリンクパイロットチャネルと制御フォーマットインディケータチャネルを抽出して、下りリンクパイロットチャネルは伝播路推定部２０６に出力し、制御フォーマットインディケータチャネルは伝播路補償部２０７に出力する。さらに、多重分離部２０５は、制御部２１を介して入力される、先に伝播路補償部２０７に出力した制御フォーマットインディケータチャネルに含まれる下りリンク制御チャネルが配置されたリソースエレメントを表す情報に基づいて、無線リソース割当て情報を含む下りリンク制御チャネルを抽出して、伝播路補償部２０９に出力する。
【０１２３】
また、多重分離部２０５は、制御部２１を介して入力される、先に伝播路補償部２０９に出力した下りリンク制御チャネルに含まれる無線リソース割当情報に基づいて下りリンク共有データチャネルを抽出して、伝播路補償部２１２に出力する。すなわち、集中送信のときは、多重分離部２０５は基地局装置１の多重部１５０による信号配置を表わす集中送信マッピングＡ〜Ｃのいずれかの無線リソース割当情報に基づき、当該移動局装置２宛ての集中仮想リソースブロックＬＶＲＢの信号を抽出する。
【０１２４】
また分散送信のときは、多重分離部２０５は、分散送信された下りリンク共有データチャネル、すなわち物理リソースブロックＰＲＢの下りリンク共有データチャネルに多重化された信号から、基地局装置１の多重部１５０による信号配置を表わす分散送信マッピングの無線リソース割当情報に基づき、当該移動局装置２宛ての分散仮想リソースブロックＤＶＲＢの信号を抽出する。この抽出方法（分散仮想リソースブロックＤＶＲＢの信号が配置されたリソースエレメントの検出方法）については後述する。
【０１２５】
伝播路推定部２０６は、多重分離部２０５が分離した下りリンクパイロットチャネルに配置された既知の参照信号の受信結果に基づいて基地局装置１の送信アンテナ各々に対する伝播路変動を推定し、伝播路変動補償値を出力する。伝播路補償部２０７は、伝播路推定部２０６からの伝播路変動補償値に基づいて、多重分離部２０５から入力された制御フォーマットインディケータチャネルの信号の伝播路変動の補償を行う。制御フォーマットインディケータ検出部２０８は、伝播路変動の補償が行われた制御フォーマットインディケータチャネルに配置された信号から下りリンク制御チャネルが構成されるＯＦＤＭシンボル数を示す制御フォーマットインディケータの情報を検出し、制御部２１に出力する。
【０１２６】
伝播路補償部２１２は、伝播路推定部２０６からの伝播路変動補償値に基づいて、多重分離部２０５から入力された下りリンク共有データチャネルの信号の伝播路変動の補償を行う。データ復調部２１３は、伝播路補償部２１２により伝播路変動の補償された下りリンク共有データチャネルの復調を行う。この復調は、基地局装置１のデータ変調部１３２で用いた変調方式に対応したものが行われ、この変調方式は、下りリンク制御チャネルに含まれる情報に基づき制御部２１から指示される。ターボ復号部２１４は、データ復調部２１３が復調した下りリンク共有データチャネルを復号する。ターボ復号部２１４で復号された下りリンク共有データチャネルに含まれていたシステム情報は制御部２１に入力される。この復号は、基地局装置１のターボ符号部１３１で用いた符号化率に対応したものが行われ、この符号化率は、下りリンク制御チャネルに含まれる情報に基づき制御部２１から指示される。
【０１２７】
伝播路補償部２０９は、伝播路推定部２０６からの伝播路変動補償値に基づいて、多重分離部２０５から入力された下りリンク制御チャネルの信号の伝播路変動の補償を行う。ＱＰＳＫ復調部２１０は、伝播路補償部２０９により伝播路変動の補償された下りリンク制御チャネルのＱＰＳＫ復調を行う。ビタビデコーダ部２１１は、ＱＰＳＫ復調部２１０が復調した下りリンク制御チャネルを復号する。ビタビデコーダ部２１１で復号された下りリンク制御チャネルに構成される制御データは制御部２１に入力される。制御部２１は、分散送信マッピング、または集中送信マッピングＡ〜Ｃの無線リソース割当情報に基づいて多重分離部２０５に制御信号を出力し、変調方式に関する情報に基づいてデータ復調部２１３に制御信号を出力し、符号化率に関する情報に基づいてターボ復号部に制御信号を出力する。
【０１２８】
図２７は、本実施形態における分散送信マッピングの無線リソース割り当ての規則を作るブロックインタリーバを示す図である。基地局装置１のリソース対応付部１４および移動局装置２の制御部２１は、以下に説明するようにしてブロックインタリーバを生成し、生成したブロックインタリーバを用いて分散送信マッピングの規則を生成する。基地局装置１のリソース対応付部１４は、このブロックインタリーバを用いて、分散仮想リソースブロックＤＶＲＢの物理リソースブロックＰＲＢペアへの割り当てを決定し、移動局装置２の制御部２１は、このブロックインタリーバを用いて、無線リソース割当情報が表す分散仮想リソースブロックＤＶＲＢの物理リソースブロックＰＲＢペアへの割り当てを取得する。
【０１２９】
図２７に示すように、このブロックインタリーバでは、行の数は、ＲＢＧサイズとサブセット数とを掛けた値である。なお、本実施形態では、ＲＢＧサイズとサブセット数とは同じ値なので、図２７では、行の数をＲＢＧサイズの２乗としている。また、このブロックインタリーバでは、分散仮想リソースブロックＤＶＲＢのＤＶＲＢ番号の最大値は、ＲＢＧサイズとサブセットの数を掛けた値の整数倍であり、且つシステム帯域に含まれる物理リソースブロックＰＲＢペアの数を超えない最大の値である。また、列の数は、分散仮想リソースブロックＤＶＲＢのＤＶＲＢ番号の最大値を行の数で割った値である。
【０１３０】
図２７では、システム帯域に含まれる物理リソースブロックＰＲＢペアの数が２４、ＲＢＧサイズが２、サブセット数が２なので、行の数はＲＢＧサイズとサブセット数を掛けた値である「４」、分散仮想リソースブロックＤＶＲＢのＤＶＲＢ番号の最大値は「２４」であり、列の数は「６」である。
【０１３１】
次に、このブロックインタリーバへの数字の書き込みと読み出し順を説明する。列の数が多重数Ｎｄ＝２の整数倍のときは、先ず１行目の１列目から最後の列まで順番に「１」、「２」、「３」というように整数の番号を１から書き込んでいく。１行目の全ての列に番号を書き込んだら２行目の１列目から続きの番号を書き込んでいくことを最後の行まで繰り返す。図２７の例では、１行目は１列目から順に、「１」、「２」、「３」、「４」、「５」、「６」が書き込まれ、２行目は１列目から順に、「７」、「８」、「９」、「１０」、「１１」、「１２」が書き込まれ、続いて、３行目および４行目に書き込まれる。ここで、番号は分散仮想リソースブロックＤＶＲＢのＤＶＲＢ番号を示す。
【０１３２】
全ての升目に番号を書き込んだら１列目の１行目から１列目の２行目、１列目の３行目というように順番に番号を読み出していき、１列目の全ての行を読み出したら、次に２列目の１行目から順番に番号を読み出していき、読み出した番号をＤＶＲＢ番号とする分散仮想リソースブロックＤＶＲＢを、読み出した順にＰＲＢ番号の１から順番に対応付ける。そして、分散仮想リソースブロックＤＶＲＢを対応付けたＰＲＢ番号の物理リソースブロックＰＲＢペアの１番目のスロットに配置する規則とする。
【０１３３】
列の数が多重数Ｎｄ＝２の整数倍にならないときは、最後の列には何も書き込まず（後述する「ｎｕｌｌ」）、読み出すときは何も書き込んでいない升目に対応する物理リソースブロックＰＲＢペアにはＤＶＲＢ番号をマッピングしないとする。詳細は図４２の説明で述べる。
【０１３４】
上述のようにして、分散送信マッピングにおける物理リソースブロックＰＲＢペアの１番目のスロットへの配置に関する規則は生成されるので、次に、物理リソースブロックＰＲＢペアの２番目のスロットへの配置の規則の生成方法を説明する。２番目のスロットへの配置の規則は、１番目のスロットへの配置の規則を生成するときに使用したブロックインタリーバの列の配置換えを行い、その後１番目のスロットへの配置の規則と同様に１列目の１行目から順番に番号を読み出して、読み出した番号をＤＶＲＢ番号とする分散仮想リソースブロックＤＶＲＢを、読み出した順にＰＲＢ番号の１から順番に対応付ける。そして、分散仮想リソースブロックＤＶＲＢを対応付けたＰＲＢ番号の物理リソースブロックＰＲＢペアの２番目のスロットに配置する規則とする。
【０１３５】
図２７では、列の順番を｛４，５，６，１，２，３｝の配置換えテーブル（入れ換え規則）に従って配置換えを行う場合を示している。ここで、配置換えテーブルの位置は配置換え前の列の番号を示し、配置換えテーブルの番号は配置換え先の列の番号を示している。すなわち、図２７で用いた配置換えテーブル｛４，５，６，１，２，３｝は、１列目を４列目、２列目を５列目、３列目を６列目、４列目を１列目、５列目を２列目、６列目を３列目というように各列を３つ（ここでは、ギャップ数を「１２」とし、ギャップ数「１２」をブロックインタリーバの行数で割った数）離れた列と入れ換える配置換えを行う。
【０１３６】
図２８は、図２７のブロックインタリーバによって生成されたＤＶＲＢ番号とＰＲＢ番号の対応付を示している。図２８において、上段には、ＰＲＢ番号「１」から「２４」までの物理リソースブロックＰＲＢペアを示す。中段には、上段の各ＰＲＢ番号に対応し、１番目のスロットに配置される分散仮想リソースブロックＤＶＲＢのＤＶＲＢ番号を示す。下段には、上段の各ＰＲＢ番号に対応し、２番目のスロットに配置される分散仮想リソースブロックＤＶＲＢのＤＶＲＢ番号を示す。
【０１３７】
物理リソースブロックＰＲＢペアの１番目のスロットに関するＤＶＲＢ番号とＰＲＢ番号の対応付は、図２７の上段のブロックインタリーバの１列目の１行目から順番に「１」、「７」、「１３」、「１９」と番号を読み出し、次に２列目の１行目から「２」、「８」、「１４」、「２０」と番号を読み出し、６列目までこれを繰り返すことで求まる。
物理リソースブロックＰＲＢペアの２番目のスロットに関するＤＶＲＢ番号とＰＲＢ番号の対応付は、図２７の１番目のスロットのブロックインタリーバの列の順番を配置換えした下段のブロックインタリーバの１列目の１行目から順番に「４」、「１０」、「１６」、「２２」と番号を読み出し、次に２列目の１行目から「５」、「１１」、「１７」、「２３」と番号を読み出し、６列目までこれを繰り返すことで求まる。
【０１３８】
このようにして生成されたＤＶＲＢ番号とＰＲＢ番号の対応付けは、図２８に示すように、ＰＲＢ番号「１」には、１番目のスロットについてはＤＶＲＢ番号「１」が対応付けられ、２番目のスロットについてはＤＶＲＢ番号「４」が対応付けられている。また、ＰＲＢ番号「２」には、１番目のスロットについてはＤＶＲＢ番号「７」が対応付けられ、２番目のスロットについてはＤＶＲＢ番号「１０」が対応付けられている。同様にして、ＰＲＢ番号「３」、「４」、「５」、「６」・・・「２４」には、１番目のスロットについてはＤＶＲＢ番号「１３」、「１９」、「２」、「８」・・・「２４」が対応付けられ、２番目のスロットについてはＤＶＲＢ番号「１６」、「２２」、「５」、「１１」・・・「２１」が対応付けられる。
【０１３９】
図２９は、図２８のブロックインタリーバから得られる分散送信マッピングと物理リソースブロックＰＲＢの対応付けを示す図である。図２９では、図２８の対応付けにより、１番目のスロットと２番目のスロットにＤＶＲＢ番号が対応付けられた各物理リソースブロックＰＲＢペアが、集中送信マッピングＢで物理リソースブロックＰＲＢペアをサブセットに分けるときに、どのサブセットに属するかが示されている。図２９の上段は、上段には、ＰＲＢ番号「１」から「２４」までの物理リソースブロックＰＲＢペアを示す。下段には、上段の各ＰＲＢ番号に対応し、１行目は１番目のスロットに配置される分散仮想リソースブロックＤＶＲＢのＤＶＲＢ番号を示し、２行目は２番目のスロットに配置される分散仮想リソースブロックＤＶＲＢのＤＶＲＢ番号を示すとともに、これらの分散仮想リソースブロックＤＶＲＢが割り当てられている物理リソースブロックＰＲＢペアが属するサブセットを示す。
【０１４０】
すなわち、ＰＲＢ番号「１」と「２」の物理リソースブロックＰＲＢペアの１番目のスロットに割り当てられたＶＲＢ番号「１」と「７」の分散仮想リソースブロックＤＶＲＢと、２番目のスロットに割り当てられたＶＲＢ番号「４」と「１０」の分散仮想リソースブロックＤＶＲＢとは、サブセット１に属す。また、ＰＲＢ番号「３」と「４」の物理リソースブロックＰＲＢペアの１番目のスロットに割り当てられたＶＲＢ番号「１３」と「１９」の分散仮想リソースブロックＤＶＲＢと、２番目のスロットに割り当てられたＶＲＢ番号「１６」と「２２」の分散仮想リソースブロックＤＶＲＢとは、サブセット２に属す。
【０１４１】
さらに、ＰＲＢ番号「５」と「６」の物理リソースブロックＰＲＢペアの１番目のスロットに割り当てられたＶＲＢ番号「２」と「８」の分散仮想リソースブロックＤＶＲＢと、２番目のスロットに割り当てられたＶＲＢ番号「５」と「１１」の分散仮想リソースブロックＤＶＲＢとは、サブセット１に属す。また、ＰＲＢ番号「７」と「８」の物理リソースブロックＰＲＢペアの１番目のスロットに割り当てられたＶＲＢ番号「１４」と「２０」の分散仮想リソースブロックＤＶＲＢと、２番目のスロットに割り当てられたＶＲＢ番号「１７」と「２３」の分散仮想リソースブロックＤＶＲＢとは、サブセット２に属す。
【０１４２】
このように、ＤＶＲＢ番号「１」から「１２」は全てサブセット１に対応付けられ、ＤＶＲＢ番号「１３」から「２４」は全てサブセット２に対応付けられている。さらに、ある分散仮想リソースブロックＤＶＲＢが割り当てられる２つの物理リソースブロックＰＲＢペア間の周波数方向の距離であるギャップは全ての分散仮想リソースブロックＤＶＲＢにおいて１２（ＲＢＧサイズとサブセット数を掛けて３倍した値）であり、連続するＤＶＲＢ番号の分散仮想リソースブロックＤＶＲＢは周波数方向に分散した物理リソースブロックＰＲＢペアにマッピングされ、ある物理リソースブロックＰＲＢペアに対応付けられた２つのＤＶＲＢ番号に対して、１番目のスロットおよび２番目のスロットへ対応付けられる分散仮想リソースブロックＤＶＲＢが対称関係となる物理リソースブロックＰＲＢペアが必ず存在する。
【０１４３】
例えば、無線リソース割当情報で、物理リソースブロックＶＲＢナンバーが「１」、物理リソースブロックＶＲＢ数が「２」、すなわち最初のＤＶＲＢ番号が「１」で連続する数が「２」と示された移動局装置２は、１番目のスロットではＰＲＢ１とＰＲＢ５を、２番目のスロットではＰＲＢ１３とＰＲＢ１７を割り当てられたということを認識する。
【０１４４】
図３０は、仮想リソースブロックＶＲＢへの分散仮想リソースブロックＤＶＲＢと集中仮想リソースブロックＬＶＲＢとの割り当て例を示す図である。図３０では、仮想リソースブロックＶＲＢが２４つ存在し、そのうち仮想リソースブロックＶＲＢの「１」から「６」を分散仮想リソースブロックＤＶＲＢとして、残りの１８個の仮想リソースブロックＶＲＢを集中仮想リソースブロックＬＶＲＢとして割り当てている。ハッチングされていない白い四角は集中仮想リソースブロックＬＶＲＢを示し、斜線によりハッチングされた四角は分散仮想リソースブロックＤＶＲＢを示し、斜線の四角に付された数字はＤＶＲＢ番号を示している。
【０１４５】
図３１は、分散送信マッピングと集中送信マッピングＡと集中送信マッピングＢとを順番に行ったときの例を示す図である。図３１では、図３０のような仮想リソースブロックＶＲＢの割当をしたときに、図２９に従った分散送信マッピングと、分散送信マッピングをした後の残りの物理リソースブロックＰＲＢペアに集中送信マッピングＡと集中送信マッピングＢとを順番に行っている。斜線によりハッチングされた四角は仮想リソースブロックＶＲＢを配置した物理リソースブロックＰＲＢペアを示し、バツを付した四角はそのマッピング方法では仮想リソースブロックＶＲＢを配置することのできない、または既に仮想リソースブロックＶＲＢが配置された物理リソースブロックＰＲＢを示している。
【０１４６】
図３１の最上段は、ＰＲＢ番号「１」から「２４」までの物理リソースブロックＰＲＢペアを示す。上から２段目は、最上段の各ＰＲＢ番号に対応し、分散送信マッピングによる１行目は１番目のスロットに配置される分散仮想リソースブロックＤＶＲＢのＤＶＲＢ番号を示し、２行目は２番目のスロットに配置される分散仮想リソースブロックＤＶＲＢのＤＶＲＢ番号を示す。上から３段目は、最上段の各ＰＲＢ番号に対応し、集中送信マッピングＡによる１番から１２番までのリソースブロックグループＲＢＧを示す。上から４段目は、最上段の各ＰＲＢ番号に対応し、集中送信マッピングＢによるサブセット１とサブセット２を示す。
【０１４７】
図３１の分散送信マッピングより、図３０のようにＤＶＲＢ番号「１」から「６」の仮想リソースブロックＶＲＢを分散仮想リソースブロックＤＶＲＢとしたときには、１つ目と５つ目と９つ目と１３つ目と１７つ目と２１つ目の物理リソースブロックＰＲＢペアに分散仮想リソースブロックＤＶＲＢが配置される。
【０１４８】
次に、分散送信マッピングをした後の残りの物理リソースブロックＰＲＢペアに対して集中送信マッピングＡで集中仮想リソースブロックＬＶＲＢを配置する。集中送信マッピングＡは、集中仮想リソースブロックＬＶＲＢを配置する単位がリソースブロックグループＲＢＧ単位なので、３つ目と４つ目と７つ目と８つ目と１１つ目と１２つ目と１５つ目と１６つ目と１９つ目と２０つ目と２３つ目と２４つ目の物理リソースブロックＰＲＢペアには集中仮想リソースブロックＬＶＲＢを配置することができる。しかし、２つ目と６つ目と１０つ目と１４つ目と１８つ目と２２つ目の物理リソースブロックＰＲＢペアはリソースブロックグループＲＢＧの一部が分散送信マッピングで使われているため、集中仮想リソースブロックＬＶＲＢを配置することができない。
【０１４９】
最後に、集中送信マッピングＡをした後の残りの物理リソースブロックＰＲＢペアに対して集中送信マッピングＢで集中仮想リソースブロックＬＶＲＢを配置する。本発明のブロックインタリーバでは、ＤＶＲＢ番号「１」から「１２」が割り当てられる物理リソースブロックＰＲＢペアは、全てサブセット１に属する。このため、集中送信マッピングＡでは集中仮想リソースブロックＬＶＲＢを配置することのできないために中途半端にリソースブロックグループＲＢＧの一部が残った２つ目と６つ目と１０つ目と１４つ目と１８つ目と２２つ目の物理リソースブロックＰＲＢペアは全て同じサブセット１に属するので、集中送信マッピングＢの１つの無線リソース割当情報を用いて割り当てることができる。
【０１５０】
なお、サブセット１とサブセット２に中途半端な物理リソースブロックＰＲＢペアが残っていると、集中送信マッピングＢの一つの無線リソース割当情報では、サブセット１かサブセット２のどちらかのみの中途半端な物理リソースブロックＰＲＢペアに信号を配置したことを知らせることができない。これを避けるために、基地局装置１のリソース対応付部１４において無線リソースの割り当てを行う際に、割り当て結果が満たすべき条件が増えるため、割り当て処理が複雑になる。
【０１５１】
本実施形態では、システム帯域幅に物理リソースブロックＰＲＢペアが５０以上のときにはギャップを複数持つとする（３ＧＰＰ  ＴＳＧ  ＲＡＮ１  ＃５２，Ｓｏｒｒｅｎｔｏ，Ｉｔａｌｙ，１１−１５  Ｆｅｂｒｕａｒｙ，２００８，Ｒ１−０８１１１９  “Ｗａｙ  ｆｏｒｗａｒｄ  ＤＶＲＢ  ｔｏ  ＰＲＢ  ｍａｐｐｉｎｇ”）。上述のブロックインタリーバにおいて列の配置換えを行う際に異なる配置換えテーブルを用い、番号を書き込まずに飛ばす列（後述するｎｕｌｌ（空白）の列）を作ることで、複数のギャップを構成することができる。異なる配置換えテーブルを用いた場合であっても、各分散仮想リソースブロックＤＶＲＢを構成する２つの物理リソースブロックＰＲＢ間のギャップが全て同じで、連続するＤＶＲＢ番号が同じサブセットに属する分散送信マッピングを実現することができる。
【０１５２】
ここでは、説明の簡略化のために、まずシステム帯域幅に含まれる物理リソースブロックＰＲＢペアの数を２４とする。物理リソースブロックＰＲＢペアの数が５０の場合については後述する。
図３２は、システム帯域幅に含まれる物理リソースブロックＰＲＢペアが２４個あり、分散送信マッピングのギャップが「４」のときのブロックインタリーバを示す図である。すなわち、ギャップをＲＢＧサイズとサブセット数を掛けた値の１倍にしたときのブロックインタリーバを示す。このとき、図２７と同じように番号を書き込んでいく。すなわち、図３２に示すように、１行目は１列目から順に、「１」、「２」、「３」、「４」、「５」、「６」が書き込まれ、２行目は１列目から順に、「７」、「８」、「９」、「１０」、「１１」、「１２」が書き込まれ、同様にして４行目まで順にＤＶＲＢ番号が書き込まれる。
【０１５３】
図３２では｛２，１，４，３，６，５｝の配置換えテーブルによる列の配置換え、すなわち隣接する列同士を入れ換える配置換えをしている。すなわち、この列の入れ換えにより得られた下段に示す１行目が１列目から順に「２」、「１」、「４」、「３」、「６」、「５」であり、続いて２行目が１列目から順に「８」、「７」、「１０」、「９」、「１２」、「１１」であり、同様にして４行目まで順にＤＶＲＢ番号が書き込まれたブロックインタリーバを、２番目のスロットの分散送信マッピングの対応付けの生成に用いる。
【０１５４】
図３３は、図３２のブロックインタリーバから得られる分散送信マッピングと物理リソースブロックＰＲＢペアの対応付けを示す図である。図３３の上段は、ＰＲＢ番号「１」から「２４」までの物理リソースブロックＰＲＢペアを示す。下段には、上段の各ＰＲＢ番号に対応し、１行目の「１」、「７」、「１３」、「１９」、「２」・・・「２４」は１番目のスロットに配置される分散仮想リソースブロックＤＶＲＢのＤＶＲＢ番号を示し、２行目の「２」、「８」、「１４」、「２０」、「１」・・・「２３」は２番目のスロットに配置される分散仮想リソースブロックＤＶＲＢのＤＶＲＢ番号を示すとともに、これらの分散仮想リソースブロックＤＶＲＢが割り当てられている物理リソースブロックＰＲＢペアが属するサブセットを示す。図３３に示すように、図３２のブロックインタリーバを用いると、ＤＶＲＢ番号「１」から「１２」は集中送信マッピングＢのサブセット１にマッピングされ、ＤＶＲＢ番号「１３」から「２４」は集中送信マッピングＢのサブセット２にマッピングされ、ギャップは全て４になる。
【０１５５】
このように１番目のスロットのブロックインタリーバの隣接する列同士を入れ替える配置換えテーブルを使用した場合、連続したＤＶＲＢ番号が同じ物理リソースブロックＰＲＢペアの１番目のスロットと２番目のスロットに対応付けられる問題がでてくる。例えば、図３３では、ＤＶＲＢ番号「１」と「２」の分散仮想リソースブロックＤＶＲＢが１つの移動局装置２に割り当てられたとすると、ＰＲＢ番号「１」の物理リソースブロックＰＲＢペアの１番目のスロットと２番目のスロットと、ＰＲＢ番号「５」の物理リソースブロックＰＲＢペアの１番目のスロットと２番目のスロットに分散仮想リソースブロックＤＶＲＢが配置される。これは、集中仮想リソースブロックＬＶＲＢでＰＲＢ番号「１」と「５」の物理リソースブロックＰＲＢペアに割り当てたのと同じことであり、周波数方向に分散仮想リソースブロックＤＶＲＢが分散されていないので、充分な周波数ダイバーシチ効果を得ることができない。
【０１５６】
この問題を解決するために、２番目のスロットのブロックインタリーバを求めるために１番目のスロットのブロックインタリーバの隣り合う列同士を入れ換える配置換えテーブルを使用する場合、すなわちギャップがブロックインタリーバの行数であるＲＢＧサイズとサブセット数を掛けた値と一致する場合、まず、１番目のスロットに用いるブロックインタリーバの列を、予め入れ換えテーブルを使用して入れ換えたものとする。このように、予め配置換えテーブルを使用して入れ換えたものを用いる場合を、以下説明する。
【０１５７】
図３４は、システム帯域幅に含まれる物理リソースブロックＰＲＢペアが２４個あり、分散送信マッピングのギャップが「４」のときのブロックインタリーバを示す図である。すなわち、ギャップをＲＢＧサイズとサブセット数を掛けた値の１倍にしたときのブロックインタリーバを示す。すなわち、図３２において１番目のスロットの分散送信マッピングを求めるためにも列を入れ替えているブロックインタリーバを示す図である。図３４に示すように、ギャップをＲＢＧサイズとサブセット数を掛けた値の１倍にしたときは、隣同士の列が連続したＤＶＲＢ番号にならないように、例えば隣接する列に列数の半分離れたＤＶＲＢ番号が来るように、｛１，Ｒ／２＋１，２，Ｒ／２＋２，・・・，Ｒ／２，Ｒ｝（Ｒは番号を書き込むブロックインタリーバの列の数）の配置換えテーブルにより列を入れ換える。
【０１５８】
つまり、図３４では、上段に示す１行目は１列目から順に「１」、「２」、「３」、「４」、「５」、「６」が書き込まれ、続いて２行目が１列目から順に「７」、「８」、「９」、「１０」、「１１」、「１２」が書き込まれ、同様にして４行目まで順にＤＶＲＢ番号が書き込まれたブロックインタリーバを、｛１，４，２，５，３，６｝の配置換えテーブルにより列を入れ換える。この列の入れ換えにより得られた中段に示す１行目が１列目から順に「１」、「４」、「２」、「５」、「３」、「６」であり、続いて２行目が１列目から順に「７」、「１０」、「８」、「１１」、「９」、「１２」であり、同様にして４行目まで順にＤＶＲＢ番号が書き込まれたブロックインタリーバを、１番目のスロットの分散送信マッピングの対応付けの生成に用いる。
【０１５９】
次に２番目のスロットの分散送信マッピングを求めるために１番目のスロットの分散送信マッピングを求めるために用いたブロックインタリーバの列を入れ換える。つまり、図３４では、中段に示すブロックインタリーバを｛２，１，４，３，６，５｝の配置換えテーブルにより列を入れ換えている。この列の入れ換えにより得られた下段に示す１行目が１列目から順に「４」、「１」、「５」、「２」、「６」、「３」であり、続いて２行目が１列目から順に「１０」、「７」、「１１」、「８」、「１２」、「９」であり、同様にして４行目まで順にＤＶＲＢ番号が書き込まれたブロックインタリーバを、１番目のスロットの分散送信マッピングの対応付けの生成に用いる。
【０１６０】
図３５は、図３４のブロックインタリーバから得られる分散送信マッピングと物理リソースブロックＰＲＢの対応付けを示す図である。図３５の上段は、ＰＲＢ番号「１」から「２４」までの物理リソースブロックＰＲＢペアを示す。下段には、上段の各ＰＲＢ番号に対応し、１行目の「１」、「７」、「１３」、「１９」、「４」・・・「２４」は１番目のスロットに配置される分散仮想リソースブロックＤＶＲＢのＤＶＲＢ番号を示し、２行目の「４」、「１０」、「１６」、「２０」、「１」・・・「２１」は２番目のスロットに配置される分散仮想リソースブロックＤＶＲＢのＤＶＲＢ番号を示すとともに、これらの分散仮想リソースブロックＤＶＲＢが割り当てられている物理リソースブロックＰＲＢペアが属するサブセットを示す。
【０１６１】
図３５に示すように、ＤＶＲＢ番号「１」から「１２」は集中送信マッピングＢのサブセット１にマッピングされ、ＤＶＲＢ番号「１３」から「２４」は集中送信マッピングＢのサブセット２にマッピングされ、ギャップは全て４になる。図３５では、１番目のスロットのブロックインタリーバの隣り合う列同士を入れ替えるテーブルを使用した場合でも、ＶＲＢ番号「１」と「２」が１つの移動局装置２に割り当てられても、分散仮想リソースブロックＤＶＲＢは１番目のスロットではＰＲＢ番号「１」と「９」に２番目のスロットではＰＲＢ番号「５」と「１３」に配置されるので、充分な周波数ダイバーシチ効果を確保することができる。
【０１６２】
２番目のスロットのブロックインタリーバのために１番目のスロットのブロックインタリーバの列を入れ替えるとき、番号を書き込まずに飛ばす列（後述するｎｕｌｌ（空白）の列）を除くと隣の列同士を入れ替えるような入れ替えテーブルを使用するときにも、同様の問題が生じるため、１番目のスロットのブロックインタリーバの列を入れ替える。詳細は図４０の説明で述べる。
【０１６３】
図３６は、システム帯域幅に含まれる物理リソースブロックＰＲＢペアが２４個あり、分散送信マッピングのギャップが「１６」のときのブロックインタリーバを示す図である。すなわち、ギャップをＲＢＧサイズとサブセット数を掛けた値の４倍にしたとき、つまりギャップが物理リソースブロックＰＲＢペアの個数の半分より大きいときのブロックインタリーバを示す。
このとき、図２７と同じように番号を書き込んでいくが、ブロックインタリーバの３列目と４列目は飛ばして番号を書き込み、書き込みを飛ばした升目はヌルｎｕｌｌ（空白）として扱う。すなわち、図３６に示すように、１行目は１列目から順に、「１」、「２」、「ｎｕｌｌ」、「ｎｕｌｌ」、「３」、「４」が書き込まれ、２行目は１列目から順に、「５」、「６」、「ｎｕｌｌ」、「ｎｕｌｌ」、「７」、「８」が書き込まれ、同様にして４行目まで順にＤＶＲＢ番号が書き込まれる。
【０１６４】
ＤＶＲＢ番号を読み出すときも、３列目と４列目にあたる升目はｎｕｌｌ（空白）として読み出す。すなわち、図３６に示すように、１列目の１行目から順に、「１」、「５」、「９」、「１３」を読み出し、次に、２列目の１行目から順に、「２」、「６」、「１０」、「１４」を読み出し、次に、３列目および４列目では、「ｎｕｌｌ」を８回読み出し、以下、同様にして６列目まで順にＤＶＲＢ番号を読み出す。
【０１６５】
２番目のスロットの分散送信マッピングを求める際の列の配置換えにおいては、３列目と４列目の配置換えは行わない。図３６では｛５，６，（３，４），１，２｝の配置換えテーブルを用いて列を配置換えしている。すなわち、この列の入れ換えにより得られた下段に示す１行目が１列目から順に「３」、「４」、「ｎｕｌｌ」、「ｎｕｌｌ」、「１」、「２」であり、続いて２行目が１列目から順に「７」、「８」、「ｎｕｌｌ」、「ｎｕｌｌ」、「５」、「６」であり、同様にして４行目まで順にＤＶＲＢ番号が書き込まれたブロックインタリーバを、２番目のスロットの分散送信マッピングの対応付けの生成に用いる。なお、｛５，６，（４，３），１，２｝というように、ヌルｎｕｌｌの列内で配置換えを行っても構わない。丸括弧で囲まれた数字はヌルの列を表している。
【０１６６】
図３７は、図３６のブロックインタリーバから得られる分散送信マッピングと物理リソースブロックＰＲＢの対応付けを示す図である。図３７の上段は、ＰＲＢ番号「１」から「２４」までの物理リソースブロックＰＲＢペアを示す。下段には、上段の各ＰＲＢ番号に対応し、１行目の「１」、「５」、「９」、・・・「ｎｕｌｌ」、「ｎｕｌｌ」、・・・「１６」は１番目のスロットに配置される分散仮想リソースブロックＤＶＲＢのＤＶＲＢ番号を示し、２行目の「３」、「７」、「１１」、・・・「ｎｕｌｌ」、「ｎｕｌｌ」、・・・「１４」は２番目のスロットに配置される分散仮想リソースブロックＤＶＲＢのＤＶＲＢ番号を示すとともに、これらの分散仮想リソースブロックＤＶＲＢが割り当てられている物理リソースブロックＰＲＢペアが属するサブセットを示す。
【０１６７】
ＰＲＢ番号「９」から「１６」に対応し、「ｎｕｌｌ」が付された四角は空白として扱われ、ＤＶＲＢ番号は対応付けされない。すなわちＰＲＢ番号「９」から「１６」の物理リソースブロックＰＲＢペアは、分散送信には用いられない。ＤＶＲＢ番号「１」から「８」は集中送信マッピングＢのサブセット１にマッピングされ、ＤＶＲＢ番号「９」から「１６」は集中送信マッピングＢのサブセット２にマッピングされ、ギャップは全て１６になり、ＰＲＢ番号「９」から「１６」にはＤＶＲＢナンバーは対応付けない。なお、この場合、図２９（ギャップ１２）と比較して構成する分散仮想リソースブロックＤＶＲＢ数は「１６」と少なくなる。
【０１６８】
図３８は、システム帯域に含まれる物理リソースブロックＰＲＢペアが２４個あり、分散送信マッピングのギャップが「８」のときのブロックインタリーバを示す図である。すなわち、ギャップをＲＢＧサイズとサブセット数を掛けた値の２倍にしたとき、つまりギャップが物理リソースブロックＰＲＢペアの個数の半分より小さいときのブロックインタリーバを示す。
このとき、図２７と同じように番号を書き込んでいくが、５列目と６列目は飛ばして番号を書き込み、書き込みを飛ばした升目はヌルｎｕｌｌ（空白）として扱う。すなわち、図３８に示すように、１行目は１列目から順に、「１」、「２」、「３」、「４」、「ｎｕｌｌ」、「ｎｕｌｌ」が書き込まれ、２行目は１列目から順に、「５」、「６」、「７」、「８」、「ｎｕｌｌ」、「ｎｕｌｌ」が書き込まれ、同様にして４行目まで順にＤＶＲＢ番号が書き込まれる。
【０１６９】
ＤＶＲＢ番号を読み出すときも、５列目と６列目にあたる升目はｎｕｌｌ（空白）として読み出す。すなわち、図３８に示すように、１列目の１行目から順に、「１」、「５」、「９」、「１３」を読み出し、次に、２列目の１行目から順に、「２」、「６」、「１０」、「１４」を読み出し、続けて３列目および４列目を読み出した後、５列目と６列目では、合わせて「ｎｕｌｌ」を８回読み出す。
【０１７０】
２番目のスロットの分散送信マッピングを求める際の列の配置換えにおいては、このときも５列目と６列目は除いて行う。図３８では｛３，４，１，２（，５，６）｝の配置換えテーブルを用いて列を配置換えしている。すなわち、この列の入れ換えにより得られた下段に示す１行目が１列目から順に「３」、「４」、「１」、「２」、「ｎｕｌｌ」、「ｎｕｌｌ」であり、続いて２行目が１列目から順に「７」、「８」、「５」、「６」、「ｎｕｌｌ」、「ｎｕｌｌ」であり、同様にして４行目まで順にＤＶＲＢ番号が書き込まれたブロックインタリーバを、２番目のスロットの分散送信マッピングの対応付けの生成に用いる。
【０１７１】
図３９は、図３８のブロックインタリーバから得られる分散送信マッピングと物理リソースブロックＰＲＢの対応付けを示す図である。図３９の上段は、ＰＲＢ番号「１」から「２４」までの物理リソースブロックＰＲＢペアを示す。下段には、上段の各ＰＲＢ番号に対応し、１行目の「１」、「５」、「９」、・・・「１６」、「ｎｕｌｌ」、・・・「ｎｕｌｌ」、は１番目のスロットに配置される分散仮想リソースブロックＤＶＲＢのＤＶＲＢ番号を示し、２行目の「３」、「７」、「１１」、・・・「１４」、「ｎｕｌｌ」、・・・「ｎｕｌｌ」は２番目のスロットに配置される分散仮想リソースブロックＤＶＲＢのＤＶＲＢ番号を示すとともに、これらの分散仮想リソースブロックＤＶＲＢが割り当てられている物理リソースブロックＰＲＢペアが属するサブセットを示す。
【０１７２】
ＰＲＢ番号「１７」から「２４」に対応し、「ｎｕｌｌ」が付された四角は空白として扱われ、ＤＶＲＢ番号は対応付けされない。すなわちＰＲＢ番号「１７」から「２４」の物理リソースブロックＰＲＢペアは、分散送信には用いられない。ＤＶＲＢ番号「１」から「８」は集中送信マッピングＢのサブセット１にマッピングされ、ＤＶＲＢ番号「９」から「１６」は集中送信マッピングＢのサブセット２にマッピングされ、ギャップは全て８になり、ＰＲＢ番号「１７」から「２４」にはＤＶＲＢ番号は対応付けない。なお、この場合、図２９（ギャップ１２）と比較して構成する分散仮想リソースブロックＤＶＲＢ数は「１６」と少なくなる。
【０１７３】
図４０は、図３８と同様に、システム帯域幅に含まれる物理リソースブロックＰＲＢペアが２４個あり、分散送信マッピングのギャップ「８」のときの図３８とは異なるブロックインタリーバを示す図である。すなわち、ギャップをＲＢＧサイズとサブセット数を掛けた値の２倍にしたとき、つまりギャップを物理リソースブロックＰＲＢペアの個数の半分より小さくしたときのブロックインタリーバを示す。
このとき、図２７と同じように番号を書き込んでいくが、図３８とは異なり２列目と５列目は飛ばして番号を書き込み、書き込みを飛ばした升目はヌルｎｕｌｌ（空白）として扱う。すなわち、図４０に示すように、１行目は１列目から順に、「１」、「ｎｕｌｌ」、「２」、「３」、「ｎｕｌｌ」、「４」が書き込まれ、２行目は１列目から順に、「５」、「ｎｕｌｌ」、「６」、「７」、「ｎｕｌｌ」、「８」が書き込まれ、同様にして４行目まで順にＤＶＲＢ番号が書き込まれる。
【０１７４】
ギャップを「８」にするには、ギャップである「８」をブロックインタリーバの行数「４」で割った「２」列先の列と列の入れ換えを行う必要がある。しかし、図４０では、２列先のＤＶＲＢ番号は、連続したＤＶＲＢ番号になっているので、図３４のときと同様に１番目のスロットの分散送信マッピングを求めるために列を入れ換える。このとき、ヌルｎｕｌｌが書き込まれた２列目と５列目は除いて行う。図４０では、｛１（，２），４，３（，５），６｝の配置換えテーブルを用いて列を配置換えをしている。すなわち、この列の入れ換えにより得られた下段に示す１行目が１列目から順に「１」、「ｎｕｌｌ」、「３」、「２」、「ｎｕｌｌ」、「４」であり、続いて２行目が１列目から順に「５」、「ｎｕｌｌ」、「７」、「６」、「ｎｕｌｌ」、「８」であり、同様にして４行目まで順にＤＶＲＢ番号が書き込まれたブロックインタリーバを、１番目のスロットの分散送信マッピングの対応付けの生成に用いる。
【０１７５】
次に２番目のスロットの分散送信マッピングを求めるために１番目のスロットの分散送信マッピングを求めるために用いたブロックインタリーバの列を入れ換える。図４０では、｛３（，２），１，６（，５），４｝の配置換えテーブルを用いて列を配置換えをしている。すなわち、この列の入れ換えにより得られた下段に示す１行目が１列目から順に「３」、「ｎｕｌｌ」、「１」、「４」、「ｎｕｌｌ」、「２」であり、続いて２行目が１列目から順に「７」、「ｎｕｌｌ」、「５」、「８」、「ｎｕｌｌ」、「６」であり、同様にして４行目まで順にＤＶＲＢ番号が書き込まれたブロックインタリーバを、２番目のスロットの分散送信マッピングの対応付けの生成に用いる。
【０１７６】
２番目のスロットのブロックインタリーバのために１番目のスロットのブロックインタリーバの列を入れ換えるとき、ヌルｎｕｌｌの列を除くと隣の列同士を入れ換えるような配置換えテーブルを使用するときにも、入れ換える列同士が連続するＤＶＲＢ番号になっているので、図３３で述べたような問題が生じる。このため、１番目のスロットのブロックインタリーバを求めるために、上述のように最初のブロックインタリーバの列を入れ換える。
【０１７７】
図４１は、図４０のブロックインタリーバから得られる分散送信マッピングと物理リソースブロックＰＲＢの対応付けを示す図である。図４１の上段は、ＰＲＢ番号「１」から「２４」までの物理リソースブロックＰＲＢペアを示す。下段には、上段の各ＰＲＢ番号に対応し、１行目の「１」、「５」、「９」、「１３」、「ｎｕｌｌ」、・・・「１６」は１番目のスロットに配置される分散仮想リソースブロックＤＶＲＢのＤＶＲＢ番号を示し、２行目の「３」、「７」、「１１」、「１５」、「ｎｕｌｌ」、・・・「１４」は２番目のスロットに配置される分散仮想リソースブロックＤＶＲＢのＤＶＲＢ番号を示すとともに、これらの分散仮想リソースブロックＤＶＲＢが割り当てられている物理リソースブロックＰＲＢペアが属するサブセットを示す。
【０１７８】
符号ｎｕｌｌが付された四角はヌルとして扱われ、該当する物理リソースブロックＰＲＢには、ＤＶＲＢ番号の対応付けは行われない。ＤＶＲＢ番号「１」から「８」は集中送信マッピングＢのサブセット１にマッピングされ、ＤＶＲＢ番号「９」から「１６」は集中送信マッピングＢのサブセット２にマッピングされ、ギャップは全て８になる。なお、ＰＲＢ番号「５」から「８」とＰＲＢ番号「１７」から「２０」にはＤＶＲＢ番号は対応付けない。なお、この場合、図２９（ギャップ１２）と比較して構成する分散仮想リソースブロックＤＶＲＢ数は少なくなる。
【０１７９】
図３８〜図４１に示したようにギャップが同じでも異なるマッピング方法（ＤＶＲＢ番号を対応付けない物理リソースブロックＰＲＢの位置が異なる方法）が存在するときには、どのマッピング方法を用いるかを事前に定義しておき、基地局装置１のリソース対応付部１４と移動局装置２の制御部２１とで共有するか、リソース対応付部１４で用いたマッピング方法を示すフラグ（ヌルｎｕｌｌを書き込んだ列を表すフラグ）を無線リソース割当情報に入れて、移動局装置２の制御部２１に通知する。用いるマッピング方法を事前に定義する場合は、予め定義されたマッピング方法を、製造時などに基地局装置１と移動局装置２とに設定されておくようにしてもよいし、基地局装置１が下りリンク共有データチャネルに配置されるシステム情報を用いて、移動局装置２に報知しておくようにしてもよい。
【０１８０】
以下、システム帯域中の物理リソースブロックＰＲＢの数がＲＢＧサイズとサブセット数を掛けた値の整数倍ではなく、ブロックインタリーバの列の数が多重数Ｎｄ＝２の整数倍にならないときについて説明する。
システム帯域幅に含まれる物理リソースブロックＰＲＢペアの数が５０個のとき、ＲＢＧサイズは「３」、サブセット数は「３」なので、ブロックインタリーバの行の数はＲＢＧサイズとサブセット数をかけた値「９」となる。ＤＶＲＢ番号の最大数はＲＢＧサイズとサブセット数を掛けた値の整数倍であり、且つ物理リソースブロックＰＲＢペアの数「５０」を超えない最大の値「４５」となる。また、ブロックインタリーバの列の数はＤＶＲＢ番号の最大数「４５」を行の数「９」で割った「５」となる。
【０１８１】
システム帯域幅に含まれる物理リソースブロックＰＲＢペアの数が５０個だが、ＤＶＲＢ番号の最大数は「４５」なので、分散送信マッピングをすることのできない物理リソースブロックＰＲＢペアが５つ存在する。また、ブロックインタリーバの列の数が多重数Ｎｄ＝２の整数倍ではないので、ブロックインタリーバにＤＶＲＢ番号を書き込む際に、必ず番号の書き込みを飛ばす列が１つ以上ある。書き込みを飛ばした升目はヌルｎｕｌｌ（空白）として扱う。
【０１８２】
図４２は、システム帯域幅に含まれる物理リソースブロックＰＲＢペアが５０個であり、分散送信マッピングのギャップが「１８」のときのブロックインタリーバを示す図である。すなわち、ギャップをＲＢＧサイズとサブセット数を掛けた値の２倍にしたときのブロックインタリーバを示す。
このとき、図２７と同じように番号を書き込んでいくが、５列目は飛ばして番号を書き込み、書き込みを飛ばした升目はヌルｎｕｌｌ（空白）として扱う。すなわち、図４２に示すように、１行目は１列目から順に、「１」、「２」、「３」、「４」、「ｎｕｌｌ」が書き込まれ、２行目は１列目から順に、「５」、「６」、「７」、「８」、「ｎｕｌｌ」が書き込まれ、同様にして９行目まで順にＤＶＲＢ番号が書き込まれる。
【０１８３】
ＤＶＲＢ番号を読み出すときも、５列目にあたる升目はｎｕｌｌ（空白）として読み出す。すなわち、図４２に示すように、１列目の１行目から順に９行目まで、「１」、「５」、「９」、「１３」、・・・「３３」を読み出し、次に、２列目の１行目から順に９行目まで、「２」、「６」、「１０」、「１４」、・・・「３４」を読み出し、続けて３列目および４列目を読み出した後、５列目では、「ｎｕｌｌ」を９回読み出す。
【０１８４】
２番目のスロットの分散送信マッピングを求める際の列の配置換えにおいても、５列目は除いて行う。図４２では｛３，４，１，２（，５）｝の配置換えテーブルを用いて列を配置換えしている。すなわち、この列の入れ換えにより得られた下段に示す１行目が１列目から順に「３」、「４」、「１」、「２」、「ｎｕｌｌ」であり、続いて２行目が１列目から順に「７」、「８」、「５」、「６」、「ｎｕｌｌ」であり、同様にして９行目まで順にＤＶＲＢ番号が書き込まれたブロックインタリーバを、２番目のスロットの分散送信マッピングの対応付けの生成に用いる。
【０１８５】
図４３は、図４２のブロックインタリーバから得られる分散送信マッピングと物理リソースブロックＰＲＢの対応付けを示す図である。図４３の上段は、ＰＲＢ番号「１」から「５０」までの物理リソースブロックＰＲＢペアを示すとともに、これらの物理リソースブロックＰＲＢペアが属するサブセットを示す。下段には、上段の各ＰＲＢ番号に対応し、１行目の「１」、「５」、「９」、・・・「３３」、「２」、「６」、・・・「３４」、「３」、「７」、・・・「３５」、「４」、「８」、・・・「３６」、「ｎｕｌｌ」、・・・「ｎｕｌｌ」、は１番目のスロットに配置される分散仮想リソースブロックＤＶＲＢのＤＶＲＢ番号を示し、２行目の「３」、「７」、「１１」、・・・「３５」、「４」、「８」、・・・「３６」、「１」、「５」、・・・「３３」、「２」、「６」、・・・「３４」、「ｎｕｌｌ」、・・・「ｎｕｌｌ」は２番目のスロットに配置される分散仮想リソースブロックＤＶＲＢのＤＶＲＢ番号を示す。
【０１８６】
ＰＲＢ番号「３７」から「４４」に対応し、「ｎｕｌｌ」が付された四角は空白として扱われ、ＤＶＲＢ番号は対応付けされない。ＤＶＲＢ番号「１」から「１２」は集中送信マッピングＢのサブセット１にマッピングされ、ＤＶＲＢ番号「１３」から「２４」は集中送信マッピングＢのサブセット２にマッピングされ、ＤＶＲＢ番号「２５」から「３６」は集中送信マッピングＢのサブセット３にマッピングされ、ギャップは全て「１８」になり、ＰＲＢ番号「３７」から「５０」にはＤＶＲＢ番号は対応付けない。
【０１８７】
図４４は、システム帯域幅に含まれる物理リソースブロックＰＲＢペアが５０個あり、分散送信マッピングのギャップが「９」のときのブロックインタリーバを示す図である。すなわち、ギャップをＲＢＧサイズとサブセット数を掛けた値の１倍にしたときのブロックインタリーバである。このとき、図２７と同じように番号を書き込んでいくが、５列目は飛ばして番号を書き込み、書き込みを飛ばした升目はヌルｎｕｌｌ（空白）として扱い、図４２の上段に示す１番目のスロットに用いるブロックインタリーバを生成する。しかし、ギャップが「９」であり、ブロックインタリーバの行数と一致するため、入れ換える列同士が連続したＤＶＲＢ番号となってしまうので、図４４では１番目のスロットの分散送信マッピングを求めるためにも列を入れ換えて、図４４の上段に示すブロックインタリーバを生成する。ただし、このときも５列目は除いて行う。
【０１８８】
図４４の上段に示すインタリーバは、図４２の上段に示すブロックインタリーバを｛１，３，２，４（，５）｝の配置換えテーブルにより列を入れ換えたものである。この列の入れ換えにより得られた図４４の上段に示す１行目は１列目から順に「１」、「３」、「２」、「４」、「ｎｕｌｌ」が書き込まれ、続いて２行目は１列目から順に「５」、「７」、「６」、「８」、「ｎｕｌｌ」が書き込まれ、同様にして９行目まで順にＤＶＲＢ番号が書き込まれたブロックインタリーバを、１番目のスロットの分散送信マッピングの対応付けの生成に用いる。
【０１８９】
次に２番目のスロットの分散送信マッピングを求めるために１番目のスロットの分散送信マッピングを求めるために用いたブロックインタリーバの列を入れ換える。図４４では、｛２，１，４，３（，５）｝の配置換えテーブルにより列を入れ換えている。この列の入れ換えにより得られた下段に示す１行目が１列目から順に「３」、「１」、「４」、「２」、「ｎｕｌｌ」であり、続いて２行目が１列目から順に「７」、「５」、「８」、「６」、「ｎｕｌｌ」であり、同様にして９行目まで順にＤＶＲＢ番号が書き込まれたブロックインタリーバを、２番目のスロットの分散送信マッピングの対応付けの生成に用いる。
【０１９０】
図４５は、図４４のブロックインタリーバから得られる分散送信マッピングと物理リソースブロックＰＲＢの対応付けを示す図である。図４５の上段は、ＰＲＢ番号「１」から「５０」までの物理リソースブロックＰＲＢペアを示すとともに、これらの物理リソースブロックＰＲＢペアが属するサブセットを示す。下段には、上段の各ＰＲＢ番号に対応し、１行目の「１」、「５」、「９」、・・・「３３」、「３」、「７」、・・・「３５」、「２」、「６」、・・・「３４」、「４」、「８」、・・・「３６」、「ｎｕｌｌ」、・・・「ｎｕｌｌ」、は１番目のスロットに配置される分散仮想リソースブロックＤＶＲＢのＤＶＲＢ番号を示し、２行目の「３」、「７」、「１１」、・・・「３５」、「１」、「５」、・・・「３３」、「４」、「８」、・・・「３６」、「２」、「６」、・・・「３４」、「ｎｕｌｌ」、・・・「ｎｕｌｌ」は２番目のスロットに配置される分散仮想リソースブロックＤＶＲＢのＤＶＲＢ番号を示す。
【０１９１】
ＰＲＢ番号「３７」から「４４」に対応し、「ｎｕｌｌ」が付された四角は空白として扱われ、ＤＶＲＢ番号は対応付けされない。ＤＶＲＢ番号「１」から「１２」は集中送信マッピングＢのサブセット１にマッピングされ、ＤＶＲＢ番号「１３」から「２４」は集中送信マッピングＢのサブセット２にマッピングされ、ＤＶＲＢ番号「２５」から「３６」は集中送信マッピングＢのサブセット３にマッピングされ、ギャップは全て「９」になり、ＰＲＢナンバー「３７」から「５０」にはＤＶＲＢナンバーは対応付けない。
【０１９２】
無線リソース割当情報にたくさんのビットを使用することができない場合、分散仮想リソースブロックＤＶＲＢとして使用できる仮想リソースブロックＶＲＢの数は制限される。このような場合、ブロックインタリーバの行と列の数は変更せずブロックインタリーバに数字を書き込むときに飛ばす列を意図的に作る。
【０１９３】
図４６は、システム帯域幅に含まれる物理リソースブロックＰＲＢペアが２４個あり、分散送信マッピングのギャップが「１２」のとき、使用可能な分散仮想リソースブロックＤＶＲＢ数を「１６」に制限したときのブロックインタリーバを示す図である。すなわち、ギャップをＲＢＧサイズとサブセット数を掛けた値の３倍にしたときのブロックインタリーバであり、無線リソース割当情報の情報量を抑制させるブロックインタリーバを示す。
このとき、図２７と同じように番号を書き込んでいくが、全ての列に数字を書き込まず、３列目と６列目は飛ばして番号を書き込み、書き込みを飛ばした升目はヌルｎｕｌｌ（空白）として扱う。すなわち、図４２に示すように、１行目は１列目から順に、「１」、「２」、「ｎｕｌｌ」、「３」、「４」、「ｎｕｌｌ」が書き込まれ、２行目は１列目から順に、「５」、「６」、「ｎｕｌｌ」、「７」、「８」、「ｎｕｌｌ」が書き込まれ、同様にして４行目まで順にＤＶＲＢ番号が書き込まれる。
【０１９４】
ＤＶＲＢ番号を読み出すときも、３列目と６列目にあたる升目はｎｕｌｌ（空白）として読み出す。すなわち、図４６に示すように、１列目の１行目から順に４行目まで、「１」、「５」、「９」、「１３」を読み出し、次に、２列目の１行目から順に４行目まで、「２」、「６」、「１０」、「１４」を読み出し、次に、３列目の１行目から順に４行目まで、「ｎｕｌｌ」を読み出し、続けて６列目まで読み出す。
このように、３列目と６列目は飛ばして番号を書き込むことで、システム帯域幅に含まれる物理リソースブロックＰＲＢペアが２４個あり、ＤＶＲＢ番号が「２４」までＰＲＢ番号に対応付できる場合でも、ＤＶＲＢ番号を「１６」までに制限してＰＲＢ番号と対応付け、無線リソース割当情報の情報量を抑制することができる。
【０１９５】
２番目のスロットの分散送信マッピングを求める際の列の配置換えにおいても、３列目と６列目は除いて行う。図４６では｛４，５（，３），１，２（，６）｝の配置換えテーブルを用いて列を配置換えしている。すなわち、この列の入れ換えにより得られた下段に示す１行目が１列目から順に「３」、「４」、「ｎｕｌｌ」、「１」、「２」、「ｎｕｌｌ」であり、続いて２行目が１列目から順に「７」、「８」、「ｎｕｌｌ」、「５」、「６」、「ｎｕｌｌ」であり、同様にして４行目まで順にＤＶＲＢ番号が書き込まれたブロックインタリーバを、２番目のスロットの分散送信マッピングの対応付けの生成に用いる。なお、配置換えテーブルを｛４，５，（６，）１，２（，３）｝というようにして、ヌルｎｕｌｌの列内で配置換えを行っても構わない。
【０１９６】
図４７は、図４６のブロックインタリーバから得られる分散送信マッピングと物理リソースブロックＰＲＢの対応付けを示す図である。図４７の上段は、ＰＲＢ番号「１」から「２４」までの物理リソースブロックＰＲＢペアを示す。下段には、上段の各ＰＲＢ番号に対応し、１行目の「１」、「５」、「９」、「１３」、「２」、「６」、「１０」、「１４」、「ｎｕｌｌ」、・・・「ｎｕｌｌ」、「３」、・・・「１６」、「ｎｕｌｌ」、・・・「ｎｕｌｌ」は１番目のスロットに配置される分散仮想リソースブロックＤＶＲＢのＤＶＲＢ番号を示し、２行目の「３」、「７」、「１１」、「１５」、「４」、「８」、「１２」、「１６」、「ｎｕｌｌ」・・・「ｎｕｌｌ」、「１」、・・・「１４」、「ｎｕｌｌ」、・・・「ｎｕｌｌ」は２番目のスロットに配置される分散仮想リソースブロックＤＶＲＢのＤＶＲＢ番号を示すとともに、これらの分散仮想リソースブロックＤＶＲＢが割り当てられている物理リソースブロックＰＲＢペアが属するサブセットを示す。
【０１９７】
ＰＲＢ番号「９」から「１２」と「２１」から「２４」に対応し、「ｎｕｌｌ」が付された四角は空白として扱われ、ＤＶＲＢ番号は対応付けされない。ＤＶＲＢ番号「１」から「８」は集中送信マッピングＢのサブセット１にマッピングされ、ＤＶＲＢ番号「９」から「１６」は集中送信マッピングＢのサブセット２にマッピングされ、ギャップは全て１２になり、ＰＲＢ番号「９」から「１２」とＰＲＢ番号「２１」から「２４」にはＤＶＲＢ番号は対応付けない。
【０１９８】
このように番号を書き込まない列を意図的に作ることでＤＶＲＢ番号を制限し、列の配置換えのテーブルを変更することでも、分散送信マッピングができ、無線リソース割当情報の情報量を削減することができる。
【０１９９】
図４８は、システム帯域幅に含まれる物理リソースブロックＰＲＢペアが２４個あり、分散送信マッピングのギャップが「１２」のとき、使用可能な分散仮想リソースブロックＤＶＲＢ数を「１２」に制限したときのブロックインタリーバを示す図である。すなわち、ギャップをＲＢＧサイズとサブセット数を掛けた値の３倍にし、無線リソース割当情報の情報量を抑制したときのブロックインタリーバを示す。
このとき、図２７と同じように番号を書き込んでいくが、全ての行に数字を書き込まず、３行目と４行目は飛ばして番号を書き込み、書き込みを飛ばした升目はヌルｎｕｌｌ（空白）として扱う。すなわち、図４２に示すように、１行目は１列目から順に、「１」、「２」、「３」、「４」、「５」、「６」が書き込まれ、２行目は１列目から順に、「７」、「８」、「９」、「１０」、「１１」、「１２」が書き込まれ、３行目および４行目は全て「ｎｕｌｌ」が書き込まれる。
【０２００】
ＤＶＲＢ番号を読み出すときも、３行目と４行目にあたる升目はｎｕｌｌ（空白）として読み出す。すなわち、図４８に示すように、１列目の１行目から順に４行目まで、「１」、「７」、「ｎｕｌｌ」、「ｎｕｌｌ」を読み出し、次に、２列目の１行目から順に４行目まで、「２」、「８」、「ｎｕｌｌ」、「ｎｕｌｌ」を読み出し、続けて６列目まで読み出す。
このように、３行目と４行目は飛ばして番号を書き込むことで、ＤＶＲＢ番号が「２４」までＰＲＢ番号に対応付できる場合でもＤＶＲＢ番号を「１２」までに制限してＰＲＢ番号と対応付けることができる。
【０２０１】
次に２番目のスロットの分散送信マッピングを求めるために１番目のスロットの分散送信マッピングを求めるために用いたブロックインタリーバの列を入れ換える。つまり、図４８では、上段に示すブロックインタリーバを｛４，５，６，１，２，３｝の配置換えテーブルにより列を入れ換えている。すなわち、この列の入れ換えにより得られた下段に示す１行目が１列目から順に「４」、「５」、「６」、「１」、「２」、「３」であり、続いて２行目が１列目から順に「１０」、「１１」、「１２」、「７」、「８」、「９」であり、３行目および４行目が全て「ｎｕｌｌ」であるブロックインタリーバを、２番目のスロットの分散送信マッピングの対応付けの生成に用いる。この配置換えテーブルは、図２７に示した書き込まない行を作らなかった時と同じ配置換えのテーブルである。
【０２０２】
図４９は、図４８のブロックインタリーバから得られる分散送信マッピングと物理リソースブロックＰＲＢの対応付けを示す図である。図４９の上段は、ＰＲＢ番号「１」から「２４」までの物理リソースブロックＰＲＢペアを示す。下段には、上段の各ＰＲＢ番号に対応し、１行目の「１」、「７」、「ｎｕｌｌ」、「ｎｕｌｌ」、「２」、「８」、「ｎｕｌｌ」、「ｎｕｌｌ」、「３」、・・・「ｎｕｌｌ」は１番目のスロットに配置される分散仮想リソースブロックＤＶＲＢのＤＶＲＢ番号を示し、２行目の「４」、「１０」、「ｎｕｌｌ」、「ｎｕｌｌ」、「５」、「１１」、「ｎｕｌｌ」、「ｎｕｌｌ」、「６」、・・・「ｎｕｌｌ」は２番目のスロットに配置される分散仮想リソースブロックＤＶＲＢのＤＶＲＢ番号を示すとともに、これらの分散仮想リソースブロックＤＶＲＢが割り当てられている物理リソースブロックＰＲＢペアが属するサブセットを示す。
【０２０３】
ＰＲＢ番号「３」、「４」、「７」、「８」、・・・「２３」、「２４」に対応し、「ｎｕｌｌ」が付された四角は空白として扱われ、ＤＶＲＢ番号は対応付けされない。ＤＶＲＢ番号「１」から「１２」は集中送信マッピングＢのサブセット１にマッピングされ、ギャップは全て「１２」になり、サブセット２に属するＰＲＢ番号「３」、「４」、「７」、「８」、「１１」、「１２」、「１５」、「１６」、「１９」、「２０」、「２３」、「２４」にはＤＶＲＢ番号は対応付けない。
このように番号を書き込まない行を意図的に作ることでＤＶＲＢ番号を制限することでも、分散送信マッピングができ、無線リソース割当情報の情報量を削減することができる。
【０２０４】
次に、移動局装置２が自移動局装置２に割り当てられた分散仮想リソースブロックＤＶＲＢを構成する下りリンク共有データチャネルが配置されたリソースエレメントを認識する手順（分散仮想リソースブロックＤＶＲＢの信号が配置されたリソースエレメントの検出方法）について説明する。図５０は、移動局装置２が当該移動局装置２に割り当てられた分散仮想リソースブロックＤＶＲＢを受信する手順を説明するフローチャートである。すなわち、このフローチャートは、分散仮想リソースブロックＤＶＲＢが配置されたリソースエレメントを、サブフレーム中から認識する手順を説明する。
【０２０５】
先ず、移動局装置２の受信処理部２２は、予め決められたリソースエレメントに配置されている制御フォーマットインディケータチャネルを受信したサブフレームから検出し、これを受けた制御部２１は、制御フォーマットインディケータを認識する（Ｓ１）。次に、制御部２１は、認識した制御フォーマットインディケータに基づいて、受信したサブフレーム中で下りリンク制御チャネルおよび下りリンク共有データチャネルが構成されるＯＦＤＭシンボルを認識する。
【０２０６】
次に、制御部２１の指示に従い、移動局装置２の受信処理部２２は、下りリンク制御チャネルを受信したサブフレームから分離し、さらに復調・復号する。この復号結果を受けた制御部２１は、分散送信マッピングであることと、下りリンク制御チャネルの無線リソース割当情報に含められた物理リソースブロックＶＲＢナンバーと、物理リソースブロックＶＲＢ数、ギャップ（ここではギャップは無線リソース割当情報に含まれるフラグにて通知するとするが、他のチャネル、例えば下りリンク共有データチャネルに配置されるシステム情報に含まれていて、予め基地局装置１から移動局装置２に報知されていても良いし、システム帯域幅(ＰＲＢ数)に依存して固定値としてもよい）を取得し、自移動局装置２に割り当てられた分散仮想リソースブロックＤＶＲＢのＤＶＲＢ番号を１つ、または複数認識する（Ｓ２）。
【０２０７】
制御部２１は、システム帯域幅に含まれる物理リソースブロックＰＲＢの数と下りリンク制御チャネルに含まれたギャップから、分散仮想リソースブロックＤＶＲＢと物理リソースブロックＰＲＢペアの対応付けを行うブロックインタリーバの列と行の数を認識して、１番目のスロットを対応付けるブロックインタリーバを生成する。さらに制御部２１は、同様に物理リソースブロックＰＲＢの数とギャップに基づき生成した配置換えのテーブルを用いて、１番目のスロットのブロックインタリーバの列を入れ換えて２番目のスロットを対応付けるブロックインタリーバを生成する（Ｓ３）。
【０２０８】
制御部２１は、ステップＳ３にて生成したブロックインタリーバからＤＶＲＢ番号と物理リソースブロックＰＲＢペアとの対応付け規則を生成する。さらに制御部２１は、この生成した対応付け規則と、ステップＳ２にて認識した割り当てられた分散仮想リソースブロックＤＶＲＢのＤＶＲＢ番号とから、自移動局装置２に割り当てられた分散仮想リソースブロックＤＶＲＢが配置される物理リソースブロックＰＲＢのＰＲＢ番号と物理リソースブロックＰＲＢ内における配置、つまり分散仮想リソースブロックＤＶＲＢの信号が配置されたリソースエレメントを認識する（Ｓ４）。制御部２１は、これらのリソースエレメントの信号を抽出するように受信処理部２２を制御し、受信処理部２２は、自移動局装置２に割り当てられた分散仮想リソースブロックＤＶＲＢの信号を抽出し、復調・復号する。
【０２０９】
このように、ＲＢＧサイズとサブセット数を掛けた値を行の数とし、ＲＢＧサイズとサブセット数を掛けた値の整数倍であり、且つシステム帯域に含まれる物理リソースブロックＰＲＢペアの数を超えない最大の値を行の数で割った値を列の数とするブロックインタリーバ使って分散送信マッピングをし、列の数が多重数Ｎｄの整数倍かどうかや、ギャップの値、使用できるＤＶＲＢ番号の最大数を考慮して、数字を書き込まない列や行を作り、列の配置換えのテーブルを変更することで１番目のスロットの分散送信マッピングを行い、１番目のスロットのブロックインタリーバの列を配置換えのテーブルに従って入れ替えることで２番目のスロットのブロックインタリーバを作り、分散送信マッピングを行うことで、連続したＤＶＲＢ番号が同じサブセットに属する物理リソースブロックＰＲＢに、全て同じギャップでマッピングされる。
【０２１０】
なお、本実施形態において、基地局装置１のリソース対応付部１４と移動局装置２の制御部２１とは、システム帯域幅に含まれる物理リソースブロックＰＲＢの数とギャップとに基づきブロックインタリーバを生成し、さらに該ブロックインタリーバを用いて分散仮想リソースブロックＤＶＲＢと物理リソースブロックＰＲＢペアとの対応付けの規則を生成するとして説明したが、リソース対応付部１４と制御部２１の双方、またはいずれか一方は、上述のようにブロックインタリーバを用いて生成した対応付けの規則を予め記憶しておき、該記憶している対応付けの規則を用いるようにしてもよいし、上述のようにして生成したブロックインタリーバを予め記憶しておき、該記憶しているブロックインタリーバを用いて、対応付けの規則を生成するようにしてもよい。
【０２１１】
また、基地局装置１のリソース対応付部１４と移動局装置２の制御部２１とは、システム帯域幅に含まれる物理リソースブロックＰＲＢの数に基づき、１番目のスロットに関するブロックインタリーバを生成し、上述のようにして生成した配置換えテーブルを予め記憶しておき、該記憶している配置換えテーブルのうち、ギャップをブロックインタリーバの行数で割った数に応じた配置換えテーブルを用いて、２番目のスロットに関するブロックインタリーバを生成するようにしてもよい。
【０２１２】
また、上述の実施形態において、多重数Ｎｄが「２」の場合を説明したが、多重数Ｎｄが２を超える値であってもよい。例えば、多重数Ｎｄが「３」のときは、物理リソースブロックＰＲＢペアへの分散仮想リソースブロックＤＶＲＢの信号の多重は、ＯＦＤＭシンボル単位で行い、ギャップ数に応じた列数だけシフトさせる配置換えテーブル（列数が「６」で、ギャップ数が行数の２倍であれば、例えば｛５，６，１，２，３，４｝）を用いて１回配置換えしたブロックインタリーバと２回配置換えをしたブロックインタリーバを生成すればよい。
また、上述の実施形態において、多重数Ｎｄが「２」で固定の場合を説明したが、多重数Ｎｄが可変であってもよい。この場合は、基地局装置１は、下りリンク共有データチャネルに配置されるシステム情報などを用いて、移動局装置２に多重数Ｎｄを予め通知するようにしてもよいし、無線リソース割当情報に多重数Ｎｄを含めて、移動局装置２に通知するようにしてもよい。
【０２１３】
このように、本実施形態の無線通信システムは、基地局装置１および移動局装置２において、ＤＶＲＢ番号を２次元配列に書き込んで生成したブロックインタリーバと、該ブロックインタリーバの列を入れ換えたブロックインタリーバとを用いて、分散仮想リソースブロックＤＶＲＢと分散仮想リソースブロックＤＶＲＢの信号を配置する物理リソースブロックＰＲＢペアとの対応付の規則を生成するので、多数の対応付け規則に容易に対応できる。
【０２１４】
また、このように本実施形態の無線通信システムは、ブロックインタリーバの列を入れ換える際の入れ換え規則である配置換えテーブルを、複数設定しておくことで、同じシステム帯域幅に対して、異なる大きさのギャップを用いることができる。
【０２１５】
また、このように本実施形態の無線通信システムは、ブロックインタリーバの行数が、ＲＢＧサイズとサブセット数の積であり、ブロックインタリーバの行各々に並べられたＤＶＲＢ番号は、同じ行に並べられたＤＶＲＢ番号同士が連続した値であるため、図３１を用いて説明したように、分散送信マッピングの結果が、集中送信マッピングＡおよび集中送信マッピングＢと整合性がよくなり、基地局装置１における各移動局装置２への無線リソース割当の決定処理が複雑になることを抑制することができる。なお、ブロックインタリーバにＤＶＲＢ番号を書き込む際に、本実施形態では、番号順に、ＤＶＲＢ番号をブロックインタリーバの列方向に書き込んでいるため、ブロックインタリーバの行各々に並べられたＤＶＲＢ番号は、同じ行に並べられたＤＶＲＢ番号同士が連続した値となる。
【０２１６】
また、図２１における無線リソース制御部１０、制御部１１、および、図２２における下りリンク共有データチャネル処理部１３０、下りリンク制御チャネル処理部１４０、参照信号生成部１２０、制御フォーマットインディケータ信号生成部１１０、多重部１５０、ＩＦＦＴ部１６１、ＧＩ挿入部１６２、および図２５における制御部２１、および図２６におけるＧＩ除去部２０３、ＦＦＴ部２０４、多重分離部２０５、伝播路推定部２０６、伝播路補償部２０７、制御フォーマットインディケータ検出部２０８、伝播路補償部２１２、データ復調部２１３、ターボ復号部２１４、伝播路補償部２０９、ＱＰＳＫ復調部２１０、ビタビデコーダ部２１１の機能を実現するためのプログラムをコンピュータ読み取り可能な記録媒体に記録して、この記録媒体に記録されたプログラムをコンピュータシステムに読み込ませ、実行することにより各部の処理を行ってもよいし、これら各部あるいは各部の一部を専用回路により実現してもよい。なお、ここでいう「コンピュータシステム」とは、ＯＳや周辺機器等のハードウェアを含むものとする。
【０２１７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０２１８】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【０２１９】
本発明は、携帯電話システムなどの移動体通信システムに用いて好適であるが、これに限定されない。
【図面の簡単な説明】
【０２２０】
【図１】従来のＥＵＴＲＡにおけるチャネルの構造を示す概略図である。
【図２】従来のＥＵＴＲＡにおける下りリンク無線フレームの概略構成を示す図である。
【図３】従来のＥＵＴＲＡの下りリンクにおける１物理リソースブロックＰＲＢペア内の下りリンクパイロットチャネルの配置を説明する図である。
【図４】従来の集中送信マッピングＡによる無線リソース割当情報の構成を示す図である。
【図５】従来のシステム帯域幅に含まれる物理リソースブロックＰＲＢペアの数が６でＲＢＧサイズが１のときの集中送信マッピングＡの無線リソース割当情報の例と、この例によって割り当てられる物理リソースブロックＰＲＢを示す図である。
【図６】従来のシステム帯域幅に含まれる物理リソースブロックＰＲＢペアの数が２４でＲＢＧサイズが２のときの集中送信マッピングＡの無線リソース割当情報の例と、この例によって割り当てられる物理リソースブロックＰＲＢペアを示す図である。
【図７】従来のシステム帯域幅に含まれる物理リソースブロックＰＲＢペアの数が４５でＲＢＧサイズが３のときの集中送信マッピングＡの無線リソース割当情報と、無線リソース割当情報によって割り当てられる物理リソースブロックＰＲＢペアの例を示す図である。
【図８】従来の集中送信マッピングＢによる無線リソース割当情報の構成を示す図である。
【図９】従来のシステム帯域幅に含まれる物理リソースブロックＰＲＢペアの数が２４でＲＢＧサイズが２のときの集中送信マッピングＢの無線リソース割当情報の例と、この例によって割り当てられる物理リソースブロックＰＲＢペアを示す図である。
【図１０】従来のシステム帯域幅に含まれる物理リソースブロックＰＲＢペアの数が４５でＲＢＧサイズが３のときの集中送信マッピングＢの無線リソース割当情報の例と、この例によって割り当てられる物理リソースブロックＰＲＢペア示す図である。
【図１１】従来の集中送信マッピングＢを改良して全ての物理リソースブロックＰＲＢペアに無線リソースを割り当てるための無線リソース情報の構成を示す図である。
【図１２】従来のシステム帯域幅に含まれる物理リソースブロックＰＲＢペアの数が２４でＲＢＧサイズが２のときのシフトフラグを含む集中送信マッピングＢの無線リソース割当情報の例と、この例によって割り当てられる物理リソースブロックＰＲＢペアを示す図である。
【図１３】従来の集中送信マッピングＣによる無線リソース割当情報の構成を示す図である。
【図１４】従来のシステム帯域幅に含まれる物理リソースブロックＰＲＢペアの数が２４のときの集中送信マッピングＣの無線リソース割当情報によって割り当てられる物理リソースブロックＰＲＢペアの例を示している。
【図１５】従来の多重数Ｎｄが２の場合の分散送信マッピングを説明する図である。
【図１６】従来の分散送信マッピングの無線リソース割当情報の構成を示す図である。
【図１７】従来の使用される分散仮想リソースブロックＤＶＲＢの数が２４のときに割り当てられる分散仮想リソースブロックＤＶＲＢの例を示す図である。
【図１８】従来の非特許文献８に記載されている多重数Ｎｄ＝２の場合の分散仮想リソースブロックＤＶＲＢと物理リソースブロックＰＲＢとの対応付けをするためのブロックインタリーバを例示する図である。
【図１９】従来の図１８のブロックインタリーバから得られる分散送信マッピングと物理リソースブロックＰＲＢの対応付けを示す図である。
【図２０】この発明の一実施形態における基地局装置１から移動局装置２への下りリンク無線フレーム（無線リソース）の概略構成を示す図である。
【図２１】同実施形態における基地局装置１の構成を示す概略ブロック図である。
【図２２】同実施形態における基地局装置１の送信処理部１３の内部構成を示す概略ブロック図である。
【図２３】同実施形態における多重数Ｎｄが２の場合に分散仮想リソースブロックＤＶＲＢの物理リソースブロックＰＲＢペアへの信号配置に用いられるスロットベースホッピングを説明する図である。
【図２４】同実施形態における多重部１５０による集中仮想リソースブロックＬＶＲＢペアの信号配置に用いられる３通りの方法を説明する図である。
【図２５】同実施形態における移動局装置２の構成を示す概略ブロック図である。
【図２６】同実施形態における移動局装置２の受信処理部２２の内部構成を示す概略ブロック図である。
【図２７】同実施形態における分散送信マッピングの無線リソース割り当ての規則を作るブロックインタリーバを示す図である。
【図２８】同実施形態における図２７のブロックインタリーバによって生成されたＤＶＲＢ番号とＰＲＢ番号の対応付を示している。
【図２９】同実施形態における図２８のブロックインタリーバから得られる分散送信マッピングと物理リソースブロックＰＲＢの対応付けを示す図である。
【図３０】同実施形態における仮想リソースブロックＶＲＢへの分散仮想リソースブロックＤＶＲＢと集中仮想リソースブロックＬＶＲＢとの割り当て例を示す図である。
【図３１】同実施形態における分散送信マッピングと集中送信マッピングＡと集中送信マッピングＢとを順番に行ったときの例を示す図である。
【図３２】システム帯域幅に含まれる物理リソースブロックＰＲＢペアが２４個あり、分散送信マッピングのギャップが「４」のときのブロックインタリーバを示す図である。
【図３３】図３２のブロックインタリーバから得られる分散送信マッピングと物理リソースブロックＰＲＢペアの対応付けを示す図である。
【図３４】同実施形態におけるシステム帯域幅に含まれる物理リソースブロックＰＲＢペアが２４個あり、分散送信マッピングのギャップが「４」のときのブロックインタリーバを示す図である。
【図３５】同実施形態における図３４のブロックインタリーバから得られる分散送信マッピングと物理リソースブロックＰＲＢの対応付けを示す図である。
【図３６】同実施形態におけるシステム帯域幅に含まれる物理リソースブロックＰＲＢペアが２４個あり、分散送信マッピングのギャップが「１６」のときのブロックインタリーバを示す図である。
【図３７】同実施形態における図３６のブロックインタリーバから得られる分散送信マッピングと物理リソースブロックＰＲＢの対応付けを示す図である。
【図３８】同実施形態におけるシステム帯域に含まれる物理リソースブロックＰＲＢペアが２４個あり、分散送信マッピングのギャップが「８」のときのブロックインタリーバを示す図である。
【図３９】同実施形態における図３８のブロックインタリーバから得られる分散送信マッピングと物理リソースブロックＰＲＢの対応付けを示す図である。
【図４０】同実施形態における図３８と同様に、システム帯域幅に含まれる物理リソースブロックＰＲＢペアが２４個あり、分散送信マッピングのギャップ「８」のときの図３８とは異なるブロックインタリーバを示す図である。
【図４１】同実施形態における図４０のブロックインタリーバから得られる分散送信マッピングと物理リソースブロックＰＲＢの対応付けを示す図である。
【図４２】同実施形態におけるシステム帯域幅に含まれる物理リソースブロックＰＲＢペアが５０個であり、分散送信マッピングのギャップが「１８」のときのブロックインタリーバを示す図である。
【図４３】同実施形態における図４２のブロックインタリーバから得られる分散送信マッピングと物理リソースブロックＰＲＢの対応付けを示す図である。
【図４４】同実施形態におけるシステム帯域幅に含まれる物理リソースブロックＰＲＢペアが５０個あり、分散送信マッピングのギャップが「９」のときのブロックインタリーバを示す図である。
【図４５】同実施形態における図４４のブロックインタリーバから得られる分散送信マッピングと物理リソースブロックＰＲＢの対応付けを示す図である。
【図４６】同実施形態におけるシステム帯域幅に含まれる物理リソースブロックＰＲＢペアが２４個あり、分散送信マッピングのギャップが「１２」のとき、使用可能な分散仮想リソースブロックＤＶＲＢ数を「１６」に制限したときのブロックインタリーバを示す図である。
【図４７】同実施形態における図４６のブロックインタリーバから得られる分散送信マッピングと物理リソースブロックＰＲＢの対応付けを示す図である。
【図４８】同実施形態におけるシステム帯域幅に含まれる物理リソースブロックＰＲＢペアが２４個あり、分散送信マッピングのギャップが「１２」のとき、使用可能な分散仮想リソースブロックＤＶＲＢ数を「１２」に制限したときのブロックインタリーバを示す図である。
【図４９】同実施形態における図４８のブロックインタリーバから得られる分散送信マッピングと物理リソースブロックＰＲＢの対応付けを示す図である。
【図５０】同実施形態における移動局装置２が自移動局装置３に割り当てられた分散仮想リソースブロックＤＶＲＢを受信する手順を説明するフローチャートである。
【符号の説明】
【０２２１】
１…基地局装置
２…移動局装置
１０…無線リソース制御部
１１…制御部
１２…受信処理部
１３…送信処理部
１４…リソース対応付部
１５…割当情報生成部
２１…制御部
２２…受信処理部
２３…送信処理部
１１０…制御フォーマットインディケータ信号生成部
１２０…参照信号生成部
１３０…下りリンク共有データチャネル処理部
１３１…ターボ符号部
１３２…データ変調部
１４０…下りリンク制御チャネル処理部
１４１…畳み込み符号部
１４２…ＱＰＳＫ変調部
１５０…多重部
１６０…送信アンテナ毎送信処理部
１６１…ＩＦＦＴ部
１６２…ＧＩ挿入部
１６３…Ｄ／Ａ部
１６４…送信ＲＦ部
２０１…受信ＲＦ部
２０２…Ａ／Ｄ部
２０３…ＧＩ除去部
２０４…ＦＦＴ部
２０５…多重分離部
２０６…伝播路推定部
２０７、２０９、２１２…伝播路補償部
２０８…制御フォーマットインディケータ検出部
２１０…ＱＰＳＫ復調部
２１１…ビタビデコーダ部
２１３…データ復調部
２１４…ターボ復号部
【図１】
2009239340.tif 000004
【図２】
2009239340.tif 000005
【図３】
2009239340.tif 000006
【図４】
2009239340.tif 000007
【図５】
2009239340.tif 000008
【図６】
2009239340.tif 000009
【図７】
2009239340.tif 000010
【図８】
2009239340.tif 000011
【図９】
2009239340.tif 000012
【図１０】
2009239340.tif 000013
【図１１】
2009239340.tif 000014
【図１２】
2009239340.tif 000015
【図１３】
2009239340.tif 000016
【図１４】
2009239340.tif 000017
【図１５】
2009239340.tif 000018
【図１６】
2009239340.tif 000019
【図１７】
2009239340.tif 000020
【図１８】
2009239340.tif 000021
【図１９】
2009239340.tif 000022
【図２０】
2009239340.tif 000023
【図２１】
2009239340.tif 000024
【図２２】
2009239340.tif 000025
【図２３】
2009239340.tif 000026
【図２４】
2009239340.tif 000027
【図２５】
2009239340.tif 000028
【図２６】
2009239340.tif 000029
【図２７】
2009239340.tif 000030
【図２８】
2009239340.tif 000031
【図２９】
2009239340.tif 000032
【図３０】
2009239340.tif 000033
【図３１】
2009239340.tif 000034
【図３２】
2009239340.tif 000035
【図３３】
2009239340.tif 000036
【図３４】
2009239340.tif 000037
【図３５】
2009239340.tif 000038
【図３６】
2009239340.tif 000039
【図３７】
2009239340.tif 000040
【図３８】
2009239340.tif 000041
【図３９】
2009239340.tif 000042
【図４０】
2009239340.tif 000043
【図４１】
2009239340.tif 000044
【図４２】
2009239340.tif 000045
【図４３】
2009239340.tif 000046
【図４４】
2009239340.tif 000047
【図４５】
2009239340.tif 000048
【図４６】
2009239340.tif 000049
【図４７】
2009239340.tif 000050
【図４８】
2009239340.tif 000051
【図４９】
2009239340.tif 000052
【図５０】
2009239340.tif 000053